【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
仮想コンテンツを表示するためのシステムであって、前記システムは、
画像データの１つまたは複数のフレームを時系列様式で提供するための画像発生源と、
前記画像データの１つまたは複数のフレームと関連付けられた光を提供するための光源と、
前記画像データの１つまたは複数のフレームと関連付けられた前記光を伝送するための光変調器と、
ユーザの眼に前記光を指向するための光学要素と
を備える、システム。
【請求項２】
前記光学要素は、前記光を受光するための反射体のアレイを含み、前記反射体のアレイは、ある角度で配向される、請求項１に記載のシステム。
【請求項３】
前記光学要素は、前記光を受光するための導波管を含む、請求項１に記載のシステム。
【請求項４】
前記光学要素に結合される可変合焦要素（ＶＦＥ）をさらに備える、請求項１に記載のシステム。
【請求項５】
前記光学要素は、前記光を受光するための複数の導波管を含み、前記複数の導波管は、前記ユーザの眼に面した方向にスタックされ、前記システムは、
第１の導波管から伝送された光線を修正するために前記複数の導波管のうちの第１の導波管に結合され、それによって、第１の波面曲率を有する光線を送達する第１のレンズと、
第２の導波管から伝送された光線を修正するために前記複数の導波管のうちの第２の導波管に結合され、それによって、第２の波面曲率を有する光線を送達する第２のレンズであって、前記第１の導波管に結合された第１のレンズおよび前記第２の導波管に結合された第２のレンズは、前記ユーザの眼に面した方向に水平にスタックされる、第２のレンズと
をさらに備える、請求項１に記載のシステム。
【請求項６】
前記複数の導波管は、前記光が第１の焦点面から生じているように知覚されるように前記画像データの１つまたは複数のフレームのうちの第１のフレームと関連付けられた光を修正するように構成可能である少なくとも第１の導波管構成要素と、前記光が第２の焦点面から生じているように知覚されるように前記画像データの１つまたは複数のフレームのうちの第２のフレームと関連付けられた光を修正するように構成可能である第２の導波管構成要素とを備え、前記第１の導波管構成要素および第２の導波管構成要素は、前記ユーザの眼の正面において、Ｚ軸に沿ってスタックされる、請求項５に記載のシステム。
【請求項７】
前記光に位相遅延を誘発させるために前記光学要素に結合される位相変調器と、
前記光学要素によって生成される凝集波面が変動されるような様式で前記位相変調器を制御するためのプロセッサと
をさらに備える、請求項１に記載のシステム。
【請求項８】
複数のマルチコアファイバを備えるマルチコアアセンブリであって、前記画像データの１つまたは複数のフレームと関連付けられた前記光を投影するためのマルチコアアセンブリをさらに備え、
前記複数のマルチコアファイバのうちの１つのマルチコアファイバは、前記マルチコアアセンブリが前記光の凝集波面を生成するように、波面に前記光を放出する、請求項１に記載のシステム。
【請求項９】
画像を前記マルチコアアセンブリの中に入力するための画像投入器であって、前記マルチコアアセンブリが、前記画像データの１つまたは複数のフレームと関連付けられた光を所望の波面に生成することによってフーリエ変換を出力し、それによって、前記ユーザが前記画像データの１つまたは複数のフレームを所望の焦点距離で知覚することを可能にするように、前記画像投入器は、前記所望の波面の逆フーリエ変換を前記マルチコアアセンブリの中に入力するようにさらに構成可能である、画像投入器
をさらに備える、請求項８に記載のシステム。
【請求項１０】
前記ユーザの眼の遠近調節を追跡するための遠近調節追跡モジュールをさらに備え、
前記光学要素は、前記画像データの１つまたは複数のフレームと関連付けられた前記光の焦点を変動させるための導波管アセンブリであり、画像データの異なるフレームは、前記追跡された遠近調節に少なくとも部分的に基づいて異なるように合焦される、請求項１に記載のシステム。
【請求項１１】
前記ユーザの眼の前記遠近調節に少なくとも部分的に基づいて前記光の焦点を変動させるための可変合焦要素（ＶＦＥ）をさらに備える、請求項１０に記載のシステム。
【請求項１２】
前記画像データの１つまたは複数のフレームで走査するためのファイバ走査ディスプレイと、
前記ユーザの眼の遠近調節に少なくとも部分的に基づいて、シミュレートされた光屈折ぼけを前記画像データの１つまたは複数のフレーム内にレンダリングするためのぼかしソフトウェアと
をさらに備える、請求項１に記載のシステム。
【請求項１３】
前記ユーザの瞳孔の場所を判定するためのプロセッサと、
前記画像データの１つまたは複数のフレームと関連付けられた前記光を投影するための空間光変調器（ＳＬＭ）のアレイと
をさらに備え、
前記ＳＬＭのアレイは、前記ユーザの瞳孔の判定された場所に少なくとも部分的に基づいて位置付けられ、
前記ＳＬＭのアレイは、前記ユーザによって視認されると、明視野を発生させる、請求項１に記載のシステム。
【請求項１４】
前記画像データの１つまたは複数のフレームと関連付けられた前記光を選択的に伝送するように構成される第１の空間光変調器（ＳＬＭ）と、
前記第１のＳＬＭに対して位置付けられる第２のＳＬＭであって、前記第２のＳＬＭもまた、前記画像データの１つまたは複数のフレームと関連付けられた前記光を選択的に伝送するように構成される、第２のＳＬＭと、
前記光が前記ユーザによって視認されると明視野が作り出されるような様式で前記第１のＳＬＭおよび前記第２のＳＬＭを制御するためのプロセッサと
をさらに備える、請求項１に記載のシステム。
【請求項１５】
前記光源は、前記画像データの１つまたは複数のフレームと関連付けられた前記光を投影するためのマイクロプロジェクタのアレイである、請求項１に記載のシステム。
【請求項１６】
前記光学要素と前記ユーザの眼との間に設置されるように構成可能である高周波数ゲーティング層であって、前記高周波数ゲーティング層は、制御可能に可動である開口を有する、高周波数ゲーティング層
をさらに備える、請求項１に記載のシステム。
【請求項１７】
前記高周波数ゲーティング層の前記開口は、前記開口を通して反射された光を通してのみ前記画像データが選択的に伝送されるような様式で可動である、請求項１６に記載のシステム。
【請求項１８】
前記開口は、ＬＣＤ開口である、請求項１６に記載のシステム。
【請求項１９】
前記開口は、ＭＥＭアレイである、請求項１６に記載のシステム。
【手続補正２】
【補正対象書類名】明細書
【補正対象項目名】０２６６
【補正方法】変更
【補正の内容】
【０２６６】
本発明の付加的ならびに他の目的、特徴、および利点は、詳細な説明、図、および請求項に説明される。
本発明は、例えば、以下を提供する。
（項目１）
仮想コンテンツを表示するためのシステムであって、
画像データの１つまたはそれを上回るフレームと関連付けられた１つまたはそれを上回る光パターンを時系列様式で多重化するための光源と、
前記１つまたはそれを上回る光パターンを受光し、光を射出瞳に向かって可変指向するための反射体のアレイと、
を備える、システム。
（項目２）
仮想コンテンツを表示するためのシステムであって、
画像データの１つまたはそれを上回るフレームを時系列様式で提供するための画像発生源と、
前記画像データの１つまたはそれを上回るフレームと関連付けられた光を伝送するように構成される、光変調器と、
画像情報をユーザの眼に指向するための基板であって、複数の反射体を格納する、基板と、
画像データの第１のフレームと関連付けられ、伝送された光を第１の角度で前記ユーザの眼に反射させるための前記複数の反射体の第１の反射体と、
前記画像データの第２のフレームと関連付けられ、伝送された光を第２の角度で前記ユーザの眼に反射させるための第２の反射体と、
を備える、システム。
（項目３）
前記複数の反射体の反射の角度は、可変である、項目１または２に記載のシステム。
（項目４）
前記反射体は、切替可能である、項目１または２に記載のシステム。
（項目５）
前記複数の反射体は、電気光学活性である、項目１または２に記載のシステム。
（項目６）
前記複数の反射体の屈折率は、前記基板の屈折率に一致するように変動される、項目２に記載のシステム。
（項目７）
前記基板と前記ユーザの眼との間に設置されるように構成可能である、高周波数ゲーティング層であって、制御可能に可動である開口を有する、高周波数ゲーティング層をさらに備える、項目１または２に記載のシステム。
（項目８）
前記高周波数ゲーティング層の開口は、画像データが前記開口を通して反射された光を通してのみ選択的に伝送されるような様式で移動され、前記透過性ビームスプリッタ基板の１つまたはそれを上回る反射体は、前記高周波数ゲーティング層によって遮断される、項目７に記載のシステム。
（項目９）
前記開口は、ＬＣＤ開口である、項目７に記載のシステム。
（項目１０）
前記開口は、ＭＥＭアレイである、項目７に記載のシステム。
（項目１１）
前記第１の角度は、前記第２の角度と同一である、項目２に記載のシステム。
（項目１２）
前記第１の角度は、前記第２の角度と異なる、項目２に記載のシステム。
（項目１３）
光線の集合を節点を通して前記ユーザの眼に操向するための第１のレンズをさらに備え、前記第１のレンズは、前記反射体から出射する光線の集合が、前記ユーザの眼に到達する前に、前記第１のレンズを通して通過するように、前記基板上かつ前記第１の反射体の正面に設置されるように構成可能である、項目２に記載のシステム。
（項目１４）
前記第１のレンズを補償するための第２のレンズをさらに備え、前記第２のレンズは、前記基板上かつ前記第１のレンズが設置される側と反対側に設置されるように構成可能であり、それによって、ゼロ倍率をもたらす、項目１３に記載のシステム。
（項目１５）
前記複数の反射体の第１の反射体は、前記ユーザの眼に送達される前に、前記画像データと関連付けられた光線の集合を単一出力点にまとめるための湾曲反射表面である、項目２に記載のシステム。
（項目１６）
前記湾曲反射体は、放物反射体である、項目１５に記載のシステム。
（項目１７）
前記湾曲反射体は、楕円形反射体である、項目１５に記載のシステム。
（項目１８）
仮想コンテンツをユーザに表示するための方法であって、
画像データの１つまたはそれを上回るフレームと関連付けられた１つまたはそれを上回る光パターンを時系列様式で提供するステップと、
前記画像データの１つまたはそれを上回るフレームと関連付けられた１つまたはそれを上回る光パターンを透過性ビームスプリッタを介して射出瞳に反射させるステップであって、前記透過性ビームスプリッタは、複数の反射体を有し、光を前記射出瞳に向かって可変指向させる、ステップと、
を含む、方法。
（項目１９）
前記複数の反射体の反射の角度は、可変である、項目１８に記載の方法。
（項目２０）
前記反射体は、切替可能である、項目１８に記載の方法。
（項目２１）
前記複数の反射体は、電気光学活性である、項目１８に記載の方法。
（項目２２）
前記複数の反射体の屈折率は、前記基板の屈折率に一致するように変動される、項目１８に記載の方法。
（項目２３）
高周波数ゲーティング層を前記透過性ビームスプリッタと前記ユーザの眼との間に設置するステップであって、前記高周波数ゲーティング層は、制御可能に可動である開口を有する、ステップをさらに含む、項目１８に記載の方法。
（項目２４）
前記高周波数ゲーティング層の開口は、画像データが前記開口を通して反射された光を通してのみ選択的に伝送されるような様式で移動され、前記透過性ビームスプリッタ基板の１つまたはそれを上回る反射体は、前記高周波数ゲーティング層によって遮断される、項目２３に記載の方法。
（項目２５）
前記開口は、ＬＣＤ開口である、項目２３に記載の方法。
（項目２６）
前記開口は、ＭＥＭアレイである、項目２３に記載の方法。
（項目２７）
第１のレンズを通して、前記透過性ビームスプリッタを節点を通して前記ユーザの眼に出射する光線の集合を操向するステップであって、前記第１のレンズは、前記透過性ビームスプリッタと前記ユーザの眼との間に設置されるように構成可能である、ステップをさらに含む、項目１８に記載の方法。
（項目２８）
前記第１のレンズの効果を第２のレンズを通して補償するステップであって、前記第２のレンズは、前記基板上かつ前記第１のレンズが設置される側と反対側に設置されるように構成可能であって、前記補償レンズは、外部環境からの光のゼロ倍率をもたらす、ステップをさらに含む、項目２７に記載の方法。
（項目２９）
前記複数の反射体の反射体は、前記ユーザの眼に送達される前に、前記画像データと関連付けられた光線の集合を単一出力点にまとめるための湾曲反射表面である、項目１８に記載の方法。
（項目３０）
前記湾曲反射体は、放物反射体である、項目２９に記載の方法。
（項目３１）
前記湾曲反射体は、楕円形反射体である、項目２９に記載の方法。
（項目３２）
前記透過性ビームスプリッタ基板の複数の反射体は、波面を前記ユーザの眼に中継する、項目１８に記載の方法。
（項目３３）
前記波面は、コリメートされた波面である、項目３２に記載の方法。
（項目３４）
前記波面は、湾曲波面である、項目３２に記載の方法。
（項目３５）
前記コリメートされた波面は、前記ユーザによって、無限深度平面から生じているように知覚される、項目３３に記載の方法。
（項目３６）
前記湾曲波面は、特定の深度平面から生じているように知覚される、項目３４に記載の方法。
（項目３７）
仮想コンテンツをユーザに表示するためのシステムであって、
画像データの１つまたはそれを上回るフレームと関連付けられた１つまたはそれを上回る光パターンを時系列様式で多重化するための光源と、
前記１つまたはそれを上回る光パターンを受光するための反射体のアレイであって、特定の角度で配向される、反射体のアレイと、
前記反射体のアレイに結合され、前記光パターンを射出瞳に向かって可変指向するための複数の光学要素と、
を備える、システム。
（項目３８）
前記反射体のアレイは、前記光学要素と別個である、項目３７に記載のシステム。
（項目３９）
前記反射体のアレイは、平面鏡を備える、項目３８に記載のシステム。
（項目４０）
前記光学要素は、前記反射体のアレイに結合されるレンズレットである、項目３８に記載のシステム。
（項目４１）
前記反射体のアレイの１つまたはそれを上回る反射体は、湾曲される、項目３７に記載のシステム。
（項目４２）
前記光学要素は、前記反射体のアレイの中に統合される、項目３７に記載のシステム。
（項目４３）
前記反射体は、放物反射体である、項目４２に記載のシステム。
（項目４４）
前記反射体は、楕円形反射体である、項目４２に記載のシステム。
（項目４５）
前記複数の光学要素は、射出瞳を拡大させる、項目４２に記載のシステム。
（項目４６）
光線の集合を節点を通して前記ユーザの眼に操向するための第１のレンズをさらに備え、前記第１のレンズは、前記反射体から出射する光線の集合が、前記ユーザの眼に到達する前に、前記第１のレンズを通して通過するように、前記基板上かつ前記第１の反射体と前記眼との間に設置されるように構成可能である、項目３７に記載のシステム。
（項目４７）
前記第１のレンズの屈折力を補償するための第２のレンズをさらに備え、前記第２のレンズは、ユーザが、前記レンズスタックを通して外界の実質的に歪みがないビューを視認し得るように、前記基板上かつ前記第１のレンズが設置される側と反対側に設置されるように構成可能である、項目４６に記載のシステム。
（項目４８）
前記複数の反射体は、波長選択反射体を備える、項目３７に記載のシステム。
（項目４９）
前記複数の反射体は、半透鏡を備える、項目３７に記載のシステム。
（項目５０）
前記複数の光学要素は、屈折レンズを備える、項目３７に記載のシステム。
（項目５１）
前記複数の光学要素は、回折レンズを備える、項目３７に記載のシステム。
（項目５２）
前記湾曲反射体は、波長選択ノッチフィルタを備える、項目４１に記載のシステム。
（項目５３）
仮想コンテンツをユーザに表示するための方法であって、
画像データの１つまたはそれを上回るフレームと関連付けられた１つまたはそれを上回る光パターンを時系列様式で提供するステップと、
前記画像データの１つまたはそれを上回るフレームと関連付けられた１つまたはそれを上回る光パターンを透過性ビームスプリッタを介して射出瞳に反射させるステップであって、前記透過性ビームスプリッタは、複数の反射体を有し、光を前記射出瞳に向かって可変指向させる、ステップと、
前記透過性ビームスプリッタの複数の反射体に結合される複数の光学要素を通して射出瞳を拡大させるステップと、
を含む、方法。
（項目５４）
前記反射体のアレイは、前記光学要素と別個である、項目５３に記載の方法。
（項目５５）
前記反射体のアレイは、平面鏡を備える、項目５３に記載の方法。
（項目５６）
前記光学要素は、前記反射体のアレイに結合されるレンズレットである、項目５３に記載の方法。
（項目５７）
前記反射体のアレイの１つまたはそれを上回る反射体は、湾曲される、項目５３に記載の方法。
（項目５８）
前記光学要素は、前記反射体のアレイの中に統合される、項目５３に記載の方法。
（項目５９）
前記反射体は、放物反射体である、項目５８に記載の方法。
（項目６０）
前記反射体は、楕円形反射体である、項目５８に記載の方法。
（項目６１）
光線の集合を節点を通して前記ユーザの眼に操向するための第１のレンズをさらに備え、前記第１のレンズは、前記反射体から出射する光線の集合が、前記ユーザの眼に到達する前に、前記第１のレンズを通して通過するように、前記基板上かつ前記第１の反射体と前記眼との間に設置されるように構成可能である、項目５３に記載の方法。
（項目６２）
前記第１のレンズの屈折力を補償するための第２のレンズをさらに備え、前記第２のレンズは、ユーザが、前記レンズスタックを通して外界の実質的に歪みがないビューを視認し得るように、前記基板上かつ前記第１のレンズが設置される側と反対側に設置されるように構成可能である、項目６１に記載の方法。
（項目６３）
前記複数の反射体は、波長選択反射体を備える、項目５３に記載の方法。
（項目６４）
前記複数の反射体は、半透鏡を備える、項目５３に記載の方法。
（項目６５）
前記複数の光学要素は、屈折レンズを備える、項目５３に記載の方法。
（項目６６）
前記複数の光学要素は、回折レンズを備える、項目５３に記載の方法。
（項目６７）
前記湾曲反射体は、波長選択ノッチフィルタを備える、項目５７に記載の方法。
（項目６８）
仮想コンテンツをユーザに表示するためのシステムであって、
画像データの１つまたはそれを上回るフレームと関連付けられた１つまたはそれを上回る光パターンを時系列様式で多重化するための光源と、
前記１つまたはそれを上回る光パターンを第１の焦点レベルで受光するための導波管と、
前記導波管に結合され、前記光パターンの少なくとも一部を第２の焦点レベルにするための可変合焦要素（ＶＦＥ）と、
を備える、システム。
（項目６９）
前記ＶＦＥは、焦点レベルを調節する間、画像倍率を実質的に変化させない、項目６８に記載のシステム。
（項目７０）
前記ＶＦＥは、焦点レベルを調節する間、画像倍率を変化させない、項目６８に記載のシステム。
（項目７１）
前記第１のＶＦＥが前記光パターンの焦点を変動させるにつれて、前記ユーザの外界のビューが実質的に歪められないように、外界からの光の波面を調節する、第２のＶＦＥをさらに備える、項目６８に記載のシステム。
（項目７２）
複数のフレームが、前記ユーザが前記フレームを単一コヒーレント場面の一部として知覚するように、高周波数で前記ユーザに提示され、前記ＶＦＥは、前記焦点を第１のフレームから第２のフレームに変動させる、項目６８に記載のシステム。
（項目７３）
前記光源は、走査光ディスプレイであって、前記ＶＦＥは、行毎様式で前記焦点を変動させる、項目６８に記載のシステム。
（項目７４）
前記光源は、走査光ディスプレイであって、前記ＶＦＥは、ピクセル毎様式で前記焦点を変動させる、項目６８に記載のシステム。
（項目７５）
前記ＶＦＥは、回折レンズである、項目６８に記載のシステム。
（項目７６）
前記ＶＦＥは、屈折レンズである、項目６８に記載のシステム。
（項目７７）
前記ＶＦＥは、反射鏡である、項目６８に記載のシステム。
（項目７８）
前記反射鏡は、不透明である、項目７７に記載のシステム。
（項目７９）
前記反射鏡は、部分的に反射性である、項目７７に記載のシステム。
（項目８０）
ユーザの眼の遠近調節を追跡するための遠近調節モジュールをさらに備え、前記ＶＦＥは、少なくとも部分的に、前記ユーザの眼の遠近調節に基づいて、前記光パターンの焦点を変動させる、項目６８に記載のシステム。
（項目８１）
仮想コンテンツをユーザに表示するためのシステムであって、
画像データの１つまたはそれを上回るフレームと関連付けられた１つまたはそれを上回る光パターンを時系列様式で多重化するための光源と、
前記１つまたはそれを上回る光パターンを受光し、前記光パターンを第１の焦点に指向させるための導波管と、
前記導波管に結合され、前記光パターンの少なくとも一部を第２の焦点に指向させるための可変合焦要素（ＶＦＥ）であって、前記導波管の中に統合される、ＶＦＥと、
を備える、システム。
（項目８２）
前記ＶＦＥは、テレセントリックである、項目８１に記載のシステム。
（項目８３）
前記ＶＦＥは、非テレセントリックである、項目８１に記載のシステム。
（項目８４）
前記ユーザの外界のビューが歪められないように、補償レンズをさらに備える、項目８１に記載のシステム。
（項目８５）
複数のフレームが、前記ユーザが、前記フレームを単一コヒーレント場面の一部として知覚するように、高周波数で前記ユーザに提示され、前記ＶＦＥは、前記焦点を第１のフレームから第２のフレームに変動させる、項目８１に記載のシステム。
（項目８６）
前記光源は、走査光ディスプレイであって、前記ＶＦＥは、行毎様式で前記焦点を変動させる、項目８１に記載のシステム。
（項目８７）
前記光源は、走査光ディスプレイであって、前記ＶＦＥは、ピクセル毎様式で前記焦点を変動させる、項目８１に記載のシステム。
（項目８８）
前記ＶＦＥは、回折レンズである、項目８１に記載のシステム。
（項目８９）
前記ＶＦＥは、屈折レンズである、項目８１に記載のシステム。
（項目９０）
前記ＶＦＥは、反射鏡である、項目８１に記載のシステム。
（項目９１）
前記反射鏡は、不透明である、項目９０に記載のシステム。
（項目９２）
前記反射鏡は、部分的に反射性である、項目９０に記載のシステム。
（項目９３）
ユーザの眼の遠近調節を追跡するための遠近調節モジュールをさらに備え、前記ＶＦＥは、少なくとも部分的に、前記ユーザの眼の遠近調節に基づいて、前記光パターンの焦点を変動させる、項目８１に記載のシステム。
（項目９４）
仮想コンテンツをユーザに表示するためのシステムであって、
画像データの１つまたはそれを上回るフレームと関連付けられた１つまたはそれを上回る光パターンを時系列様式で多重化するための光源と、
前記１つまたはそれを上回る光パターンを受光し、前記光パターンを第１の焦点に指向させるための導波管と、
前記導波管に結合され、前記光パターンの少なくとも一部を第２の焦点に指向するための可変合焦要素（ＶＦＥ）であって、前記導波管と別個である、ＶＦＥと、
を備える、システム。
（項目９５）
前記ＶＦＥは、テレセントリックである、項目９４に記載のシステム。
（項目９６）
前記ＶＦＥは、非テレセントリックである、項目９４に記載のシステム。
（項目９７）
前記ユーザの外界のビューが歪められないように、補償レンズをさらに備える、項目９４に記載のシステム。
（項目９８）
前記ユーザが前記フレームを単一コヒーレント場面の一部として知覚するように、複数のフレームが、高周波数で前記ユーザに提示され、前記ＶＦＥは、前記焦点を第１のフレームから第２のフレームに変動させる、項目９４に記載のシステム。
（項目９９）
前記光源は、走査光ディスプレイであって、前記ＶＦＥは、行毎様式で前記焦点を変動させる、項目９４に記載のシステム。
（項目１００）
前記光源は、走査光ディスプレイであって、前記ＶＦＥは、ピクセル毎様式で前記焦点を変動させる、項目９４に記載のシステム。
（項目１０１）
前記ＶＦＥは、回折レンズである、項目９４に記載のシステム。
（項目１０２）
前記ＶＦＥは、屈折レンズである、項目９４に記載のシステム。
（項目１０３）
前記ＶＦＥは、反射鏡である、項目９４に記載のシステム。
（項目１０４）
前記反射鏡は、不透明である、項目１０３に記載のシステム。
（項目１０５）
前記反射鏡は、部分的に反射性である、項目１０３に記載のシステム。
（項目１０６）
ユーザの眼の遠近調節を追跡するための遠近調節モジュールをさらに備え、前記ＶＦＥは、少なくとも部分的に、前記ユーザの眼の遠近調節に基づいて、前記光パターンの焦点を変動させる、項目９４に記載のシステム。
（項目１０７）
仮想コンテンツをユーザに表示するための方法であって、
画像データの１つまたはそれを上回るフレームと関連付けられた１つまたはそれを上回る光パターンを提供するステップと、
前記画像データの１つまたはそれを上回るフレームと関連付けられた１つまたはそれを上回る光パターンを導波管を通して第１の焦点に収束させるステップと、
可変合焦要素（ＶＦＥ）を通して、前記光の第１の焦点を修正し、波面を第２の焦点に生成するステップと、
を含む、方法。
（項目１０８）
前記ＶＦＥは、前記導波管と別個である、項目１０７に記載の方法。
（項目１０９）
前記ＶＦＥは、前記導波管の中に統合される、項目１０７に記載の方法。
（項目１１０）
前記画像データの１つまたはそれを上回るフレームは、時系列様式で提供される、項目１０７に記載の方法。
（項目１１１）
前記ＶＦＥは、前記画像データの１つまたはそれを上回るフレームの焦点をフレーム毎ベースで修正する、項目１１０に記載の方法。
（項目１１２）
前記ＶＦＥは、前記画像データの１つまたはそれを上回るフレームの焦点をピクセル毎ベースで修正する、項目１１０に記載の方法。
（項目１１３）
前記ＶＦＥは、前記第１の焦点を修正し、波面を第３の焦点に生成し、前記第２の焦点は、前記第３の焦点と異なる、項目１０７に記載の方法。
（項目１１４）
前記第２の焦点における波面は、特定の深度平面から生じているように前記ユーザによって知覚される、項目１０７に記載の方法。
（項目１１５）
前記ＶＦＥは、テレセントリックである、項目１０７に記載の方法。
（項目１１６）
前記ＶＦＥは、非テレセントリックである、項目１０７に記載の方法。
（項目１１７）
前記ユーザの外界のビューが歪められないように、補償レンズをさらに含む、項目１０７に記載の方法。
（項目１１８）
複数のフレームが、前記ユーザが前記フレームを単一コヒーレント場面の一部として知覚するように、高周波数で前記ユーザに提示され、前記ＶＦＥは、前記焦点を第１のフレームから第２のフレームに変動させる、項目１０７に記載の方法。
（項目１１９）
前記光源は、走査光ディスプレイであって、前記ＶＦＥは、行毎様式で前記焦点を変動させる、項目１０７に記載の方法。
（項目１２０）
前記ＶＦＥは、回折レンズである、項目１０７に記載の方法。
（項目１２１）
前記ＶＦＥは、屈折レンズである、項目１０７に記載の方法。
（項目１２２）
前記ＶＦＥは、反射鏡である、項目１０７に記載の方法。
（項目１２３）
前記反射鏡は、不透明である、項目１０７に記載の方法。
（項目１２３）
前記反射鏡は、部分的に反射性である、項目１０７に記載の方法。
（項目１２４）
ユーザの眼の遠近調節を追跡するための遠近調節モジュールをさらに含み、前記ＶＦＥは、少なくとも部分的に、前記ユーザの眼の遠近調節に基づいて、前記光パターンの焦点を変動させる、項目１０７に記載の方法。
（項目１２５）
仮想コンテンツをユーザに表示するためのシステムであって、
画像データと関連付けられた光線を受光し、前記光線を前記ユーザの眼に向かって伝送するための複数の導波管であって、前記ユーザの眼に面した方向にスタックされる、複数の導波管と、
前記複数の導波管の第１の導波管に結合され、前記第１の導波管から伝送された光線を修正し、それによって、第１の波面曲率を有する光線を送達するための第１のレンズと、
前記複数の導波管の第２の導波管に結合され、前記第２の導波管から伝送された光線を修正し、それによって、第２の波面曲率を有する光線を送達するための第２のレンズであって、前記第１の導波管に結合された第１のレンズおよび前記第２の導波管に結合された第２のレンズは、前記ユーザの眼に面した方向に水平にスタックされる、第２のレンズと、
を備える、システム。
（項目１２６）
前記第１の波面曲率は、前記第２の波面曲率と異なる、項目１２５に記載のシステム。
（項目１２７）
前記ユーザが、前記画像データを光学無限遠平面から生じているように知覚するように、コリメートされた光を前記ユーザの眼に送達するための前記複数の導波管の第３の導波管をさらに備える、項目１２５に記載のシステム。
（項目１２８）
前記導波管は、コリメートされた光を前記レンズに伝送するように構成される、項目１２５に記載のシステム。
（項目１２９）
前記ユーザの眼に面した方向にスタックされたレンズの凝集屈折力を補償するための補償レンズ層をさらに備え、前記補償レンズ層は、前記ユーザの眼から最も離れてスタックされる、項目１２５に記載のシステム。
（項目１３０）
前記導波管は、前記導波管の中に投入された光線を前記ユーザの眼に向かって反射するように構成可能である、複数の反射体を備える、項目１２５に記載のシステム。
（項目１３１）
前記導波管は、電気活性である、項目１２５に記載のシステム。
（項目１３２）
前記導波管は、切替可能である、項目１２５に記載のシステム。
（項目１３３）
前記第１の波面曲率を有する光線および前記第２の波面曲率を有する光線は、同時に送達される、項目１２５に記載のシステム。
（項目１３４）
前記第１の波面曲率を有する光線および前記第２の波面曲率を有する光線は、順次送達される、項目１２５に記載のシステム。
（項目１３５）
前記第２の波面曲率は、前記第１の波面曲率の境界に対応し、それによって、前記ユーザが遠近調節することができる焦点距離を提供する、項目１３３に記載のシステム。
（項目１３６）
ユーザの眼の遠近調節を追跡するための遠近調節モジュールをさらに含み、前記ＶＦＥは、少なくとも部分的に、前記ユーザの眼の遠近調節に基づいて、前記光パターンの焦点を変動させる、項目１２５に記載の方法。
（項目１３７）
仮想コンテンツをユーザに表示するためのシステムであって、
画像データの１つまたはそれを上回るフレームと関連付けられた１つまたはそれを上回る光パターンを多重化するための光源と、
前記１つまたはそれを上回る光パターンを受光し、光を射出瞳に向かって指向するための複数の導波管であって、Ｚ軸に沿ってスタックされる、複数の導波管と、
前記複数の導波管によって伝送された光の焦点を修正するための少なくとも１つの光学要素と、
を備える、システム。
（項目１３８）
前記複数の導波管の導波管は、前記投影された光を前記導波管の長さを横断して分布させるための導波管と、波面曲率が作成されるような様式で前記光を修正するための光学要素とを備え、前記作成された波面曲率は、前記ユーザによって視認されるときの焦点面に対応する、項目１３７に記載のシステム。
（項目１３９）
前記複数の導波管の導波管は、回折光学要素（ＤＯＥ）を備える、項目１３７に記載のシステム。
（項目１４０）
前記ＤＯＥは、オン状態とオフ状態との間で切替可能である、項目１３７に記載のシステム。
（項目１４１）
前記少なくとも１つの光学要素は、屈折レンズを備える、項目１３７に記載のシステム。
（項目１４２）
前記少なくとも１つの光学要素は、フレネルゾーンプレートを備える、項目１３７に記載のシステム。
（項目１４３）
前記複数の導波管の導波管は、導波管要素を備える、項目１３７に記載のシステム。
（項目１４４）
前記導波管は、オン状態とオフ状態との間で切替可能である、項目１４３に記載のシステム。
（項目１４５）
前記導波管は、静的である、項目１３７に記載のシステム。
（項目１４６）
前記画像データの第１のフレームおよび前記画像データの第２のフレームは、前記ユーザの眼に同時に送達される、項目１３７に記載のシステム。
（項目１４７）
前記画像データの第１のフレームおよび前記画像データの第２のフレームは、前記ユーザの眼に順次送達される、項目１３７に記載のシステム。
（項目１４８）
光を前記ユーザの眼に送達するための複数の角度付けられた反射体をさらに備え、前記第１の導波管構成要素および前記第２の導波管構成要素は、光を前記１つまたはそれを上回る角度付けられた反射体に指向する、項目１３７に記載のシステム。
（項目１４９）
ビーム分布導波管光学をさらに備え、前記ビーム分布導波管は、前記導波管アセンブリに結合され、前記ビーム分布導波管光学は、前記ビーム分布導波管光学の中に投入された光線が、クローン化され、前記導波管アセンブリの導波管構成要素の中に投入されるように、前記投影された光を前記導波管アセンブリを横断して拡散させるように構成可能である、項目１３７に記載のシステム。
（項目１５０）
仮想コンテンツをユーザに表示するためのシステムであって、
画像データの１つまたはそれを上回るフレームを時系列様式で提供するための画像発生源と、
前記画像データの１つまたはそれを上回るフレームと関連付けられた光を投影するための光変調器と、
前記投影された光を受光し、前記光を前記ユーザの眼に向かって送達するための導波管アセンブリであって、前記導波管アセンブリは、前記光が第１の焦点面から生じているように知覚されるように、前記画像データの第１のフレームと関連付けられた光を修正するように構成可能である、少なくとも第１の導波管構成要素と、前記光が第２の焦点面から生じているように知覚されるように、前記画像データの第２のフレームと関連付けられた光を修正するように構成可能である、第２の導波管構成要素とを備え、前記第１の導波管構成要素および第２の導波管構成要素は、前記ユーザの眼の正面において、Ｚ軸に沿ってスタックされる、導波管アセンブリと、
を備える、システム。
（項目１５１）
前記導波管アセンブリの導波管構成要素は、前記投影された光を前記導波管の長さを横断して分布させるための導波管と、波面曲率が作成されるような様式で前記光を修正するためのレンズとを備え、前記作成された波面曲率は、前記ユーザによって視認されるときの焦点面に対応する、項目１５０に記載のシステム。
（項目１５２）
前記導波管アセンブリの導波管構成要素は、回折光学要素（ＤＯＥ）を備える、項目１５０に記載のシステム。
（項目１５３）
前記ＤＯＥは、オン状態とオフ状態との間で切替可能である、項目１５０に記載のシステム。
（項目１５４）
前記導波管アセンブリの導波管構成要素は、屈折レンズを備える、項目１５０に記載のシステム。
（項目１５５）
前記導波管アセンブリの導波管構成要素は、フレネルゾーンプレートを備える、項目１５０に記載のシステム。
（項目１５６）
前記導波管アセンブリの導波管構成要素は、基板導波光学（ＳＧＯ）要素を備える、項目１５０に記載のシステム。
（項目１５７）
前記導波管は、オン状態とオフ状態との間で切替可能である、項目１５０に記載のシステム。
（項目１５８）
前記導波管は、静的である、項目１５０に記載のシステム。
（項目１５９）
前記画像データの第１のフレームおよび前記画像データの第２のフレームは、前記ユーザの眼に同時に送達される、項目１５０に記載のシステム。
（項目１６０）
前記画像データの第１のフレームおよび前記画像データの第２のフレームは、前記ユーザの眼に順次送達される、項目１５０に記載のシステム。
（項目１６１）
光を前記ユーザの眼に送達するための複数の角度付けられた反射体をさらに備え、前記第１の導波管構成要素および前記第２の導波管構成要素は、光を前記１つまたはそれを上回る角度付けられた反射体に指向する、項目１５０に記載のシステム。
（項目１６２）
ビーム分布導波管光学をさらに備え、前記ビーム分布導波管は、前記導波管アセンブリに結合され、前記ビーム分布導波管光学は、前記ビーム分布導波管光学の中に投入された光線が、クローン化され、前記導波管アセンブリの導波管構成要素の中に投入されるように、前記投影された光を前記導波管アセンブリを横断して拡散させるように構成可能である、項目１５０に記載のシステム。
（項目１６３）
前記導波管アセンブリの導波管構成要素は、前記投影された光を所望の角度で前記ユーザの眼に向かって反射させるように構成可能である、反射体を備える、項目１５０に記載のシステム。
（項目１６４）
前記第１の導波管構成要素は、前記投影された光を第１の角度で反射させるように構成される、第１の反射体を備え、前記第２の導波管構成要素は、前記投影された光を第２の角度で反射させるように構成される、第２の反射体を備える、項目１５０に記載のシステム。
（項目１６５）
前記第１の反射体は、前記第２の反射体に対して交互にされ、それによって、前記ユーザによって視認されるにつれて、前記画像の視野を拡大させる、項目１５０に記載のシステム。
（項目１６６）
前記導波管構成要素の反射体は、前記導波管アセンブリを横断して連続湾曲反射表面を形成するような様式で位置付けられる、項目１５０に記載のシステム。
（項目１６７）
前記連続湾曲反射表面は、放物線を備える、項目１６６に記載のシステム。
（項目１６８）
前記連続湾曲反射表面は、楕円曲線を備える、項目１６６に記載のシステム。
（項目１６９）
仮想コンテンツをユーザに表示するための方法であって、
第１の導波管を通して、画像データの第１のフレームと関連付けられた光線を前記ユーザに送達するステップであって、前記光線は、第１の波面曲率を有する、ステップと、
第２の導波管を通して、前記画像データの第２のフレームと関連付けられた光線を前記ユーザに送達するステップであって、前記光線は、第２の波面曲率を有し、前記第１の導波管および第２の導波管は、前記ユーザの眼に面してＺ軸に沿ってスタックされる、ステップと、
を含む、方法。
（項目１７０）
前記第１の波面曲率および前記第２の波面曲率は、同時に送達される、項目１６９に記載の方法。
（項目１７１）
前記第１の波面曲率および前記第２の波面曲率は、順次送達される、項目１６９に記載の方法。
（項目１７２）
前記第１および第２の波面曲率は、前記ユーザによって第１および第２の深度平面として知覚される、項目１６９に記載の方法。
（項目１７３）
前記第１および第２の導波管は、１つまたはそれを上回る光学要素に結合される、項目１６９に記載の方法。
（項目１７４）
前記１つまたはそれを上回る光学要素の効果を補償レンズを通して補償するステップをさらに含む、項目１７２に記載の方法。
（項目１７５）
前記ユーザの眼の遠近調節を判定するステップと、
少なくとも部分的に、前記判定された遠近調節に基づいて、光線を前記第１および第２の導波管のうちの少なくとも１つを通して送達するステップと、
をさらに含む、項目１６９に記載の方法。
（項目１７５）
仮想コンテンツをユーザに表示するための方法であって、
前記ユーザの眼の遠近調節を判定するステップと、
少なくとも部分的に、前記判定された遠近調節に基づいて、導波管のスタックの第１の導波管を通して、第１の波面曲率を有する光線を送達するステップであって、前記第１の波面曲率は、前記判定された遠近調節の焦点距離に対応する、ステップと、
前記導波管のスタックの第２の導波管を通して、第２の波面曲率を有する光線を送達するステップであって、前記第２の波面曲率は、前記判定された遠近調節の焦点距離の所定の境界と関連付けられる、ステップと、
を含む、方法。
（項目１７６）
前記境界は、正の境界である、項目１７５に記載の方法。
（項目１７７）
前記境界は、負の境界である、項目１７５に記載の方法。
（項目１７８）
前記第２の導波管は、前記ユーザが遠近調節することができる焦点距離を増加させる、項目１７５に記載の方法。
（項目１７９）
前記第１の導波管は、可変合焦要素（ＶＦＥ）に結合され、前記ＶＦＥは、前記導波管が前記光線を合焦させる焦点を変動させる、項目１７５に記載の方法。
（項目１８０）
前記焦点は、少なくとも部分的に、前記ユーザの眼の判定された遠近調節に基づいて、変動される、項目１７９に記載の方法。
（項目１８２）
前記第１の波面曲率および前記第２の波面曲率は、同時に送達される、項目１７５に記載の方法。
（項目１８３）
前記第１および第２の波面曲率は、前記ユーザによって第１および第２の深度平面として知覚される、項目１７５に記載の方法。
（項目１８４）
前記導波管は、回折光学要素（ＤＯＥ）である、項目１７５に記載の方法。
（項目１８５）
前記導波管は、基板導波光学（ＳＧＯ）である、項目１７５に記載の方法。
（項目１８６）
前記第１および第２の導波管は、切替可能である、項目１７５に記載の方法。
（項目１８７）
前記導波管は、１つまたはそれを上回る切替可能要素を備える、項目１７５に記載の方法。
（項目１８９）
仮想コンテンツをユーザに表示するためのシステムであって、
画像データの１つまたはそれを上回るフレームを時系列様式で提供するための画像発生源と、
前記画像データの１つまたはそれを上回るフレームと関連付けられた光線を投影するためのディスプレイアセンブリであって、第１のフレームレートおよび第１のビット深度に対応する第１のディスプレイ要素と、第２のフレームレートおよび第２のビット深度に対応する第２のディスプレイ要素とを備える、ディスプレイアセンブリと、
前記投影された光の焦点を変動させ、前記光を前記ユーザの眼に伝送するように構成可能である、可変合焦要素（ＶＦＥ）と、
を備える、システム。
（項目１９０）
前記第１のフレームレートは、前記第２のフレームレートより高く、前記第１のビット深度は、前記第２のビット深度より低い、項目１８９に記載のシステム。
（項目１９１）
前記第１のディスプレイ要素は、ＤＬＰ投影システムである、項目１８９に記載のシステム。
（項目１９２）
前記第２のディスプレイ要素は、液晶ディスプレイ（ＬＣＤ）である、項目１８９に記載のシステム。
（項目１９３）
前記第１のディスプレイ要素は、前記ＬＣＤの周縁が一定照明を有するように、光を前記第２のディスプレイ要素の下位集合に投影する、項目１８９に記載のシステム。
（項目１９４）
前記第１のディスプレイ要素から伝送された光のみ、前記ＶＦＥを通して合焦される、項目１９３に記載のシステム。
（項目１９５）
前記ＶＦＥは、前記投影された光の焦点が、前記画像データの倍率に影響を及ぼすことなく変動されるように、射出瞳に光学的に共役する、項目１８９に記載のシステム。
（項目１９６）
前記第１のディスプレイ要素は、ＤＬＰであって、前記第２のディスプレイ要素は、ＬＣＤであって、前記ＤＬＰは、低分解能であって、前記ＬＣＤは、高分解能である、項目１８９に記載のシステム。
（項目１９７）
背面光の強度は、経時的に変動され、前記第１のディスプレイ要素によって投影される下位画像の輝度を等化させ、それによって、前記第１のディスプレイ要素のフレームレートを増加させる、項目１８９に記載のシステム。
（項目１９８）
前記ＶＦＥは、前記投影された光の焦点をフレーム毎ベースで変動させるように構成可能である、項目１８９に記載のシステム。
（項目１９９）
前記ＶＦＥの動作と関連付けられた光学倍率を補償するためのソフトウェアをさらに備える、項目１８９に記載のシステム。
（項目２００）
前記画像発生源は、ともにまたは順次投影されると、３次元ボリュームのオブジェクトを生成する、特定の画像のスライスを生成する、項目１８９に記載のシステム。
（項目２０１）
前記ＤＬＰは、バイナリモードで動作される、項目１８９に記載のシステム。
（項目２０２）
前記ＤＬＰは、階調モードで動作される、項目１８９に記載のシステム。
（項目２０３）
前記ＶＦＥは、第１のフレームが第１の焦点面から生じているように知覚され、第２のフレームが第２の焦点面から生じているように知覚されるように、前記投影された光を変動させ、前記第１の焦点面は、前記第２の焦点面と異なる、項目１８９に記載のシステム。
（項目２０４）
前記焦点面と関連付けられた焦点距離は、固定される、項目１８９に記載のシステム。
（項目２０５）
前記焦点面と関連付けられた焦点距離は、可変である、項目１８９に記載のシステム。
（項目２０６）
仮想コンテンツをユーザに表示するための方法であって、
１つまたはそれを上回る画像スライスを提供するステップであって、前記１つまたはそれを上回る画像スライスの第１および第２の画像スライスは、３次元ボリュームを表す、ステップと、
前記第１の画像スライスと関連付けられた光を空間光変調器を通して投影するステップと、
可変合焦要素（ＶＦＥ）を通して、前記第１の画像スライスを第１の焦点に合焦させるステップと、
前記第１の焦点を有する前記第１の画像スライスを前記ユーザに送達するステップと、
前記第２の画像スライスと関連付けられた光を提供するステップと、
前記ＶＦＥを通して、前記第２の画像スライスを第２の焦点に合焦させるステップであって、前記第１の焦点は、前記第２の焦点と異なる、ステップと、
前記第２の焦点を有する前記第２の画像スライスを前記ユーザに送達するステップと、
を含む、方法。
（項目２０７）
前記ユーザの眼の遠近調節を判定するステップをさらに含み、前記ＶＦＥは、少なくとも部分的に、前記判定された遠近調節に基づいて、前記投影された光を合焦させる、項目２０６に記載の方法。
（項目２０８）
前記画像スライスは、フレーム順次方式で提供される、項目２０６に記載の方法。
（項目２０９）
前記第１の画像スライスおよび前記第２の画像スライスは、同時に送達される、項目２０６に記載の方法。
（項目２１０）
前記第１の画像スライスおよび前記第２の画像スライスは、順次送達される、項目２０６に記載の方法。
（項目２１１）
仮想コンテンツをユーザに表示するための方法であって、
第１のディスプレイ要素と第２のディスプレイ要素を組み合わせるステップであって、前記組み合わせられたディスプレイ要素が、高フレームレートおよび高ビット深度に対応するように、前記第１のディスプレイ要素は、高フレームレートおよび低ビット深度に対応し、前記第２のディスプレイ要素は、低フレームレートおよび高ビット深度に対応する、ステップと、
画像データの１つまたはそれを上回るフレームと関連付けられた光を前記組み合わせられたディスプレイ要素を通して投影するステップと、
第１の画像スライスが第１の焦点で投影され、第２の画像スライスが第２の焦点で投影されるように、前記投影された光の焦点を、可変合焦要素（ＶＦＥ）を通して、フレーム毎ベースで切り替えるステップと、
を含む、方法。
（項目２１２）
前記第１のディスプレイ要素は、ＤＬＰである、項目２１１に記載の方法。
（項目２１３）
前記第２のディスプレイ要素は、ＬＣＤである、項目２１１に記載の方法。
（項目２１４）
前記第１のディスプレイ要素は、前記第２のディスプレイ要素の一部を選択的に照明する、項目２１１に記載の方法。
（項目２１５）
前記ＶＦＥは、変形可能膜鏡である、項目２１１に記載の方法。
（項目２１６）
前記ＶＦＥは、射出瞳に光学的に共役する、項目２１１に記載の方法。
（項目２１７）
前記ＶＦＥは、射出瞳に光学的に共役しない、項目２１１に記載の方法。
（項目２１８）
前記第１および第２の画像スライスは、３次元仮想オブジェクトを表す、項目２１１に記載の方法。
（項目２１９）
前記ＤＬＰは、バイナリモードで動作する、項目２１２に記載の方法。
（項目２２０）
前記ＤＬＰは、階調モードで動作する、項目２１２に記載の方法。
（項目２２１）
前記階調は、前記ユーザの脳に、何かが２つの深度平面に隣接して存在しているという知覚を付与する、項目２２０に記載の方法。
（項目２２２）
前記ディスプレイ要素は、画像変調のために組み合わせられる、項目２１１に記載の方法。
（項目２２３）
前記ディスプレイ要素は、組み合わせられ、高ダイナミックレンジディスプレイを作成する、項目２１１に記載の方法。
（項目２２４）
前記ＶＦＥは、所定の数の固定された深度平面間で焦点を切り替える、項目２１１に記載の方法。
（項目２２５）
ユーザの眼の遠近調節を判定するステップをさらに含み、前記ＶＦＥは、少なくとも部分的に、前記判定された遠近調節に基づいて、焦点を切り替える、項目２１１に記載の方法。
（項目２２６）
仮想コンテンツをユーザに表示するためのシステムであって、
画像データの１つまたはそれを上回るフレームと関連付けられたコヒーレント光を受光し、凝集波面を生成するための複数の光ガイドと、
前記複数の光ガイドの１つまたはそれを上回る光ガイドに結合され、前記１つまたはそれを上回る光ガイドによって投影される光に位相遅延を誘発させるための位相変調器と、
前記複数の光ガイドによって生成される凝集波面が変動されるような様式で前記位相変調器を制御するためのプロセッサと、
を備える、システム。
（項目２２７）
前記複数の光ガイドの光ガイドによって生成される波面は、球状波面である、項目２２６に記載のシステム。
（項目２２８）
少なくとも２つの光ガイドによって生成される球状波面は、相互に建設的に干渉する、項目２２７に記載のシステム。
（項目２２９）
前記少なくとも２つの光ガイドによって生成される球状波面は、相互に破壊的に干渉する、項目２２７に記載のシステム。
（項目２３０）
前記凝集波面は、略平面波面である、項目２２６に記載のシステム。
（項目２３１）
前記平面波面は、光学無限遠深度平面に対応する、項目２３０に記載のシステム。
（項目２３２）
前記凝集波面は、球状である、項目２２６に記載のシステム。
（項目２３３）
前記球状波面は、光学無限遠より近い深度平面に対応する、項目２３２に記載のシステム。
（項目２３５）
所望のビームの逆フーリエ変換が、所望の凝集波面が生成されるように、前記マルチコアファイバの中に投入される、項目２３２に記載のシステム。
（項目２３６）
仮想コンテンツをユーザに表示するシステムであって、
画像データの１つまたはそれを上回るフレームを提供するための画像発生源と、
複数のマルチコアファイバを備え、前記画像データの１つまたはそれを上回るフレームと関連付けられた光を投影するためのマルチコアアセンブリであって、前記複数のマルチコアファイバのマルチコアファイバは、前記マルチコアアセンブリが前記投影された光の凝集波面を生成するように、波面に光を放出する、マルチコアアセンブリと、
前記マルチコアアセンブリによって放出される凝集波面が、変動され、それによって、前記ユーザが前記画像データの１つまたはそれを上回るフレームを知覚する焦点距離を変動させるような様式で前記マルチコアファイバ間に位相遅延を誘発させるための位相変調器と、
を備える、システム。
（項目２３７）
所望のビームの逆フーリエ変換が、所望の凝集波面が生成されるように、前記マルチコアファイバの中に投入される、項目２３６に記載のシステム。
（項目２３８）
仮想コンテンツをユーザに表示するための方法であって、
光をマルチコアファイバを通して放出するステップであって、前記マルチコアファイバは、複数の単一コアファイバを備え、前記単一コアファイバは、球状波面を放出する、ステップと、
前記複数の単一コアファイバから放出される光から凝集波面を提供するステップと、
前記マルチコアファイバによって生成される凝集波面が、少なくとも部分的に、誘発された位相遅延に基づいて、変動されるように、前記マルチコアファイバの単一コアファイバ間に位相遅延を誘発させるステップと、
を含む、方法。
（項目２３９）
前記凝集波面は、平面波面である、項目２３８に記載の方法。
（項目２４０）
前記平面波面は、光学無限遠に対応する、項目２３９に記載の方法。
（項目２４１）
前記凝集波面は、球状である、項目２３８に記載の方法。
（項目２４２）
前記球状波面は、光学無限遠より近い深度平面に対応する、項目２４１に記載の方法。
（項目２４３）
前記凝集波面が前記所望の波面に対応するように、所望の波面の逆フーリエ変換を前記マルチコアファイバの中に投入するステップをさらに含む、項目２３８に記載の方法。
（項目２４５）
仮想コンテンツをユーザに表示するためのシステムであって、
画像データの１つまたはそれを上回るフレームを提供するための画像発生源と、
複数のマルチコアファイバを備え、前記画像データの１つまたはそれを上回るフレームと関連付けられた光を投影するためのマルチコアアセンブリと、
画像を前記マルチコアアセンブリの中に入力するための画像投入器であって、前記マルチコアアセンブリが、前記画像データと関連付けられた光を前記所望の波面に生成することによって、前記フーリエ変換を出力し、それによって、前記ユーザが、前記画像データを所望の焦点距離で知覚することを可能にするように、所望の波面の逆フーリエ変換を前記マルチコアアセンブリの中に入力するようにさらに構成可能である、入力投入器と、
を備える、システム。
（項目２４６）
前記所望の波面は、ホログラムと関連付けられる、項目２４５に記載のシステム。
（項目２４７）
前記逆フーリエ変換は、前記１つまたはそれを上回る光ビームの焦点を変調させるための入力である、項目２４５に記載のシステム。
（項目２４８）
前記複数のマルチコアファイバのマルチコアファイバは、マルチモードファイバである、項目２４５に記載のシステム。
（項目２４９）
前記複数のマルチコアファイバのマルチコアファイバは、前記ファイバに沿った複数の経路に沿って、光を伝搬するように構成される、項目２４５に記載のシステム。
（項目２５０）
前記マルチコアファイバは、単一コアファイバである、項目２４５に記載のシステム。
（項目２５１）
前記マルチコアファイバは、同心コアファイバである、項目２４５に記載のシステム。
（項目２５２）
前記画像投入器は、ウェーブレットパターンを前記マルチコアアセンブリの中に入力するように構成される、項目２４５に記載のシステム。
（項目２５３）
前記画像投入器は、ゼルニケ係数を前記マルチコアアセンブリの中に入力するように構成される、項目２４５に記載のシステム。
（項目２５４）
前記ユーザの眼の遠近調節を判定するための遠近調節追跡モジュールをさらに備え、前記画像投入器は、前記ユーザの眼の前記判定された遠近調節に対応する波面の逆フーリエ変換を入力するように構成される、項目２４５に記載のシステム。
（項目２５５）
仮想コンテンツをユーザに表示する方法であって、
前記ユーザの眼の遠近調節を判定するステップであって、前記判定された遠近調節は、ユーザの焦点の現在の状態に対応する焦点距離と関連付けられる、ステップと、
導波管を通して、画像データの１つまたはそれを上回るフレームと関連付けられた光を投影するステップと、
少なくとも部分的に、前記判定された遠近調節に基づいて、前記投影された光の焦点を変動させるステップと、
前記投影された光を前記ユーザの眼に送達するステップと、
を含む、方法。
（項目２５６）
前記遠近調節は、直接測定される、項目２５５に記載の方法。
（項目２５７）
前記遠近調節は、間接的に測定される、項目２５５に記載の方法。
（項目２５８）
前記遠近調節は、赤外線自動屈折計を通して測定される、項目２５６に記載の方法。
（項目２５９）
前記遠近調節は、偏心光屈折法を通して測定される、項目２５６に記載の方法。
（項目２６０）
前記ユーザの両眼の収束レベルを測定し、前記遠近調節を推定するステップをさらに含む、項目２５７に記載の方法。
（項目２６１）
少なくとも部分的に、前記判定された遠近調節に基づいて、前記画像データの１つまたはそれを上回るフレームの１つまたはそれを上回る部分をぼかすステップをさらに含む、項目２５５に記載の方法。
（項目２６２）
前記焦点は、固定された深度平面間で変動される、項目２５５に記載の方法。
（項目２６３）
外部環境がゼロ倍率で知覚されるように、前記導波管の光学効果を補償するための補償レンズをさらに含む、項目２５５に記載の方法。
（項目２６４）
仮想コンテンツをユーザに表示する方法であって、
前記ユーザの眼の遠近調節を判定するステップであって、前記判定された遠近調節は、ユーザの焦点の現在の状態に対応する焦点距離と関連付けられる、ステップと、
回折光学要素（ＤＯＥ）を通して、画像データの１つまたはそれを上回るフレームと関連付けられた光を投影するステップと、
少なくとも部分的に、前記判定された遠近調節に基づいて、前記投影された光の焦点を変動させるステップと、
前記投影された光を前記ユーザの眼に送達するステップと、
を含む、方法。
（項目２６５）
前記遠近調節は、直接測定される、項目２６４に記載の方法。
（項目２６６）
前記遠近調節は、間接的に測定される、項目２６４に記載の方法。
（項目２６７）
前記遠近調節は、赤外線自動屈折計を通して測定される、項目２６５に記載の方法。
（項目２６８）
前記遠近調節は、偏心光屈折法を通して測定される、項目２６５に記載の方法。
（項目２６９）
前記ユーザの両眼の収束レベルを測定し、前記遠近調節を推定するステップをさらに含む、項目２６６に記載の方法。
（項目２７０）
少なくとも部分的に、前記判定された遠近調節に基づいて、前記画像データの１つまたはそれを上回るフレームの１つまたはそれを上回る部分をぼかすステップをさらに含む、項目２６４に記載の方法。
（項目２７１）
前記焦点は、固定された深度平面間で変動される、項目２６４に記載の方法。
（項目２７２）
外部環境がゼロ倍率で知覚されるように、前記ＤＯＥの光学効果を補償するための補償レンズをさらに含む、項目２６４に記載の方法。
（項目２７３）
仮想コンテンツをユーザに表示する方法であって、
前記ユーザの眼の遠近調節を判定するステップであって、前記判定された遠近調節は、ユーザの焦点の現在の状態に対応する焦点距離と関連付けられる、ステップと、
自由形状光学を通して、画像データの１つまたはそれを上回るフレームと関連付けられた光を投影するステップと、
少なくとも部分的に、前記判定された遠近調節に基づいて、前記投影された光の焦点を変動させるステップと、
前記投影された光を前記ユーザの眼に送達するステップと、
を含む、方法。
（項目２７４）
前記遠近調節は、直接測定される、項目２７３に記載の方法。
（項目２７５）
前記遠近調節は、間接的に測定される、項目２７３に記載の方法。
（項目２７５）
前記遠近調節は、赤外線自動屈折計を通して測定される、項目２７４に記載の方法。
（項目２７６）
前記遠近調節は、偏心光屈折法を通して測定される、項目２７４に記載の方法。
（項目２７７）
前記ユーザの両眼の収束レベルを測定し、前記遠近調節を推定するステップをさらに含む、項目２７５に記載の方法。
（項目２７８）
少なくとも部分的に、前記判定された遠近調節に基づいて、前記画像データの１つまたはそれを上回るフレームの１つまたはそれを上回る部分をぼかすステップをさらに含む、項目２７３に記載の方法。
（項目２７９）
前記焦点は、固定された深度平面間で変動される、項目２７３に記載の方法。
（項目２８０）
外部環境がゼロ倍率で知覚されるように、前記自由形状光学の光学効果を補償するための補償レンズをさらに含む、項目２７３に記載の方法。
（項目２８１）
仮想コンテンツをユーザに表示する方法であって、
前記ユーザの眼の遠近調節を判定するステップであって、前記判定された遠近調節は、ユーザの焦点の現在の状態に対応する焦点距離と関連付けられる、ステップと、
画像データの１つまたはそれを上回るフレームと関連付けられた光を投影するステップと、
少なくとも部分的に、前記判定された遠近調節に基づいて、前記投影された光の焦点を変動させるステップと、
前記光が、前記ユーザの焦点の現在の状態に対応する焦点距離から生じているように前記ユーザによって知覚されるように、前記投影された光を前記ユーザの眼に送達するステップと、
を含む、方法。
（項目２８２）
前記光は、基板導波光学アセンブリを通して、前記ユーザに送達される、項目２８１に記載の方法。
（項目２８３）
前記光は、自由形状光学要素を通して、前記ユーザに送達される、項目２８１に記載の方法。
（項目２８４）
前記光は、回折光学要素（ＤＯＥ）を通して、前記ユーザに送達される、項目２８１に記載の方法。
（項目２８５）
前記光は、導波管のスタックを通して投影され、前記導波管のスタックの第１の導波管は、特定の波面で光を出力し、第２の導波管は、前記特定の波面に対して正の境界波面を出力し、第３の導波管は、前記特定の波面に対して負の境界波面を出力するように構成される、項目２８１に記載の方法。
（項目２８６）
前記投影された光が前記ユーザの眼に送達されるとき、前記画像データの１つまたはそれを上回るフレームの一部を前記部分が焦点から外れるような様式でぼかすステップをさらに含む、項目２８１に記載の方法。
（項目２８７）
仮想コンテンツをユーザに表示するためのシステムであって、
画像データの１つまたはそれを上回るフレームを時系列様式で提供するための画像発生源と、
前記画像データの１つまたはそれを上回るフレームと関連付けられた光を提供するための光発生器と、
前記ユーザの眼の遠近調節を追跡するための遠近調節追跡モジュールと、
前記画像データの１つまたはそれを上回るフレームと関連付けられた光の焦点を変動させるための導波管アセンブリであって、画像データの異なるフレームは、少なくとも部分的に、前記追跡された遠近調節に基づいて、異なるように合焦される、導波管アセンブリと、
を備える、システム。
（項目２８８）
仮想コンテンツをユーザに表示するためのシステムであって、
前記ユーザの眼の遠近調節を判定するための遠近調節追跡モジュールと、
画像データの１つまたはそれを上回るフレームを時系列様式で提供するための画像発生源と、
前記画像データの１つまたはそれを上回るフレームと関連付けられた光を投影するための光発生器と、
画像データと関連付けられた光線を受光し、前記光線を前記ユーザの眼に向かって伝送するための複数の導波管であって、前記ユーザの眼に面した方向にスタックされる、複数の導波管と、
少なくとも部分的に、前記ユーザの眼の判定された遠近調節に基づいて、前記伝送された光の焦点を変動させるための可変合焦要素（ＶＦＥ）と、
を備える、システム。
（項目２８９）
前記複数の導波管の導波管は、導波管要素であって、前記複数の導波管の第１の導波管から伝送された画像データの第１のフレームの焦点は、前記複数の導波管の第２の導波管から伝送された画像データの第２のフレームの焦点と異なる、項目２８８に記載のシステム。
（項目２９０）
前記第１のフレームは、３Ｄ場面の第１の層であって、第２のフレームは、３Ｄ場面の第２の層である、項目２８８に記載のシステム。
（項目２９１）
前記画像データの１つまたはそれを上回るフレームの一部を前記ユーザによって視認されると前記部分が焦点から外れるような様式でぼかすためのぼかしモジュールをさらに備える、項目２８８に記載のシステム。
（項目２９２）
前記ＶＦＥは、前記複数の導波管に共通である、項目２８８に記載のシステム。
（項目２９３）
前記ＶＦＥは、前記複数の導波管の導波管と関連付けられる、項目２８８に記載のシステム。
（項目２９４）
前記ＶＦＥは、前記ＶＦＥが前記複数の導波管の２つの導波管間にインタリーブされるように、前記複数の導波管の導波管に結合される、項目２８８に記載のシステム。
（項目２９５）
前記ＶＦＥは、前記複数の導波管の導波管の中に埋め込まれる、項目２８８に記載のシステム。
（項目２９６）
前記ＶＦＥは、回折光学要素である、項目２８８に記載のシステム。
（項目２９７）
前記ＶＦＥは、屈折要素である、項目２８８に記載のシステム。
（項目２９８）
前記ＶＦＥは、反射要素である、項目２８８に記載のシステム。
（項目２９９）
前記導波管は、電気活性である、項目２８８に記載のシステム。
（項目３００）
１つまたはそれを上回る前記複数の導波管の導波管は、オフに切り替えられる、項目２８８に記載のシステム。
（項目３０１）
前記複数の導波管の導波管は、固定された焦点面に対応する、項目２８８に記載のシステム。
（項目３０２）
射出瞳をさらに備え、前記射出瞳の直径は、わずか０．５ｍｍである、項目２８８に記載のシステム。
（項目３０３）
前記光発生器は、走査ファイバディスプレイである、項目２８８に記載のシステム。
（項目３０４）
射出瞳のアレイをさらに備える、項目３０２に記載のシステム。
（項目３０５）
複数の光発生器をさらに備え、光発生器は、射出瞳に結合される、項目３０２に記載のシステム。
（項目３０６）
射出瞳拡大器をさらに備える、項目２８８に記載のシステム。
（項目３０７）
前記射出瞳は、少なくとも部分的に、前記ユーザの眼の判定された遠近調節に基づいて、切替可能である、項目３０２に記載のシステム。
（項目３０８）
システムであって、
ユーザの眼の遠近調節を判定するための遠近調節追跡モジュールと、
画像データの１つまたはそれを上回るフレームと関連付けられた複数の光ビームを走査するためのファイバ走査ディスプレイであって、前記複数の光ビームの光ビームは、可動である、ファイバ走査ディスプレイと、
少なくとも部分的に、前記ユーザの眼の判定された遠近調節に基づいて、シミュレートされた光屈折ぼけを前記画像データの１つまたはそれを上回るフレーム内にレンダリングするためのぼかしソフトウェアと、
を備える、システム。
（項目３０９）
光ビームの直径は、わずか２ｍｍである、項目３０８に記載のシステム。
（項目３１０）
光ビームの直径は、わずか０．５ｍｍである、項目３０８に記載のシステム。
（項目３１１）
走査光ビームは、複製され、複数の射出瞳を作成する、項目３０８に記載のシステム。
（項目３１２）
前記走査光ビームは、複製され、より大きいアイボックスを作成する、項目３０８に記載のシステム。
（項目３１３）
前記射出瞳は、切替可能である、項目３１１に記載のシステム。
（項目３１４）
仮想コンテンツを表示するための方法であって、
ユーザの眼の遠近調節を判定するステップと、
画像データの１つまたはそれを上回るフレームと関連付けられた複数の光ビームをファイバ走査ディスプレイを通して走査するステップであって、前記光ビームの直径は、前記ユーザによって視認されると、画像データのフレームが合焦して現れるように、わずか０．５ｍｍである、ステップと、
ぼかしソフトウェアを使用して、少なくとも部分的に、前記ユーザの眼の判定された遠近調節に基づいて、前記フレームの１つまたはそれを上回る部分をぼかすステップと、
を含む、方法。
（項目３１５）
複数の射出瞳が、作成される、項目３１４に記載の方法。
（項目３１６）
前記光ビームは、単一コアファイバによって発生される、項目３１４に記載の方法。
（項目３１７）
前記光ビームは、複製され、複数の射出瞳を作成する、項目３１４に記載の方法。
（項目３１８）
前記射出瞳は、切替可能である、項目３１７に記載の方法。
（項目３１９）
仮想コンテンツをユーザに表示するための方法であって、
光プロジェクタの束に対する前記ユーザの瞳孔の位置を判定するステップであって、前記光プロジェクタの束は、前記ユーザに提示されるべき画像の下位画像に対応する、ステップと、
前記ユーザの瞳孔の判定された位置に基づいて、前記下位画像に対応する光を前記ユーザの瞳孔の一部の中に推進させるステップと、
を含む、方法。
（項目３２０）
前記ユーザの瞳孔の別の部分に提示されるべき前記画像の別の下位画像に対応する光を光プロジェクタの別の束を通して推進させるステップをさらに含む、項目３１９に記載の方法。
（項目３２１）
前記ファイバ走査ディスプレイの光プロジェクタの１つまたはそれを上回る束と前記ユーザの瞳孔の１つまたはそれを上回る部分をマッピングするステップをさらに含む、項目３１９に記載の方法。
（項目３２２）
前記マッピングは、１：１マッピングである、項目３２１に記載の方法。
（項目３２３）
前記光の直径は、わずか０．５ｍｍである、項目３１９に記載の方法。
（項目３２４）
前記光プロジェクタの束は、凝集波面を生成する、項目３１９に記載の方法。
（項目３２５）
前記光プロジェクタによって生成されるビームレットは、離散化された凝集波面を形成する、項目３１９に記載の方法。
（項目３２６）
前記ビームレットが、前記ユーザの眼に平行に接近するときに、前記眼は、前記ビームレットを偏向させ、前記網膜上の同一スポットに収束させる、項目３２５に記載の方法。
（項目３２７）
前記ユーザの眼は、ビームレットの上位集合を受光し、前記ビームレットは、前記瞳孔を交差する複数の角度に対応する、項目３１９に記載の方法。
（項目３２８）
仮想コンテンツをユーザに表示するためのシステムであって、
画像データの１つまたはそれを上回るフレームと関連付けられた光を提供するための光源と、
前記画像データの１つまたはそれを上回るフレームと関連付けられた光を受光するための光ディスプレイアセンブリであって、前記光ディスプレイアセンブリは、ともに離間される複数の射出瞳に対応し、前記複数の射出瞳は、光を前記ユーザの瞳孔の中に伝送する、光ディスプレイアセンブリと、
を備える、システム。
（項目３２９）
前記複数の射出瞳は、六角形格子内に配列される、項目３２８に記載のシステム。
（項目３３０）
前記複数の射出瞳は、正方形格子内に配列される、項目３２８に記載のシステム。
（項目３３１）
前記複数の射出瞳は、２次元アレイ内に配列される、項目３２８に記載のシステム。
（項目３３２）
前記複数の射出瞳は、３次元アレイ内に配列される、項目３２８に記載のシステム。
（項目３３３）
前記複数の射出瞳は、時変アレイ内に配列される、項目３２８に記載のシステム。
（項目３３４）
仮想コンテンツをユーザに表示するための方法であって、
複数の光プロジェクタを群化し、射出瞳を形成するステップと、
第１の光パターンを、第１の射出瞳を通して前記ユーザの瞳孔の第１の部分の中に推進するステップと、
第２の光パターンを、第２の射出瞳を通して前記ユーザの瞳孔の第２の部分の中に推進するステップであって、前記第１の光パターンおよび第２の光パターンは、前記ユーザに提示されるべき画像の下位画像に対応し、前記第１の光パターンは、前記第２の光パターンと異なる、ステップと、
を含む、方法。
（項目３３５）
前記複数の光プロジェクタは、六角形格子内に配列される、項目３３４に記載の方法。
（項目３３６）
前記複数の光プロジェクタは、正方形格子内に配列される、項目３３４に記載の方法。
（項目３３７）
前記複数の光プロジェクタは、２次元アレイ内に配列される、項目３３４に記載の方法。
（項目３３８）
前記複数の光プロジェクタは３次元アレイ内に配列される、項目３３４に記載の方法。
（項目３３９）
前記複数の光プロジェクタは、時変アレイ内に配列される、項目３３４に記載の方法。
（項目３４０）
前記ユーザの瞳孔の第１の部分は、光を前記第１の射出瞳からのみ受光し、前記ユーザの瞳孔の第２の部分は、光を前記第２の射出瞳からのみ受光する、項目３３４に記載の方法。
（項目３４１）
離散化された凝集波面を作成するステップをさらに含む、項目３３４に記載の方法。
（項目３４２）
仮想コンテンツをユーザに表示するための方法であって、
光ディスプレイアセンブリに対する前記ユーザの瞳孔の場所を判定するステップと、
少なくとも部分的に、前記瞳孔の判定された場所の周囲の限定されたアイボックスに基づいて、光を前記瞳孔に指向すべき焦点を計算するステップと、
を含む、方法。
（項目３４３）
光の直径は、わずか０．５ｍｍである、項目３４２に記載の方法。
（項目３４４）
離散化された凝集波面を作成するステップをさらに含む、項目３４２に記載の方法。
（項目３４５）
少なくとも部分的に、所望の凝集波面の曲率半径の中心に基づいて、複数の離散する近隣のコリメートされた光ビームを凝集させるステップをさらに含む、項目３４４に記載の方法。
（項目３４６）
前記ユーザの眼の遠近調節を判定するステップをさらに含み、前記焦点は、少なくとも部分的に、前記判定された遠近調節に基づいて、計算される、項目３４４に記載の方法。
（項目３４７）
複数のビームレットの光の角度軌道を選択し、焦点外れ光ビームを作成するステップをさらに含む、項目３４６に記載の方法。
（項目３４８）
複数のビームレットは、前記ユーザに提示されるべき画像データのピクセルを表す、項目３４２に記載の方法。
（項目３４９）
前記ビームレットは、複数の入射角度で前記眼に衝突する、項目３４８に記載の方法。
（項目３５０）
仮想コンテンツをユーザに表示するためのシステムであって、
前記ユーザに提示されるべき画像の１つまたはそれを上回る部分を提供するための画像発生源と、
前記画像の１つまたはそれを上回る部分と関連付けられた光を投影するための複数のマイクロプロジェクタであって、前記マイクロプロジェクタは、前記ユーザの瞳孔に面する様式で位置付けられ、前記複数のマイクロプロジェクタのマイクロプロジェクタは、前記下位画像の一部を表す光線の集合を投影するように構成され、前記光線の集合は、前記ユーザの瞳孔の一部に投影される、複数のマイクロプロジェクタと、
を備える、システム。
（項目３５１）
前記ユーザの瞳孔の第１の部分は、光線を複数のマイクロプロジェクタから受光する、項目３５０に記載のシステム。
（項目３５２）
前記複数のマイクロプロジェクタからの光を前記ユーザの瞳孔の１つまたはそれを上回る部分に反射させるための反射表面をさらに備える、項目３５０に記載のシステム。
（項目３５３）
前記反射表面は、前記ユーザが前記反射表面を通して実世界を視認可能であるような様式で位置付けられる、項目３５０に記載のシステム。
（項目３５４）
光の直径は、わずか０．５ｍｍである、項目３５０に記載のシステム。
（項目３５５）
離散化された凝集波面を作成するステップをさらに含む、項目３５０に記載のシステム。
（項目３５６）
少なくとも部分的に、所望の凝集波面の曲率半径の中心に基づいて、複数の離散する近隣のコリメートされた光ビームを凝集させるステップをさらに含む、項目３５０に記載のシステム。
（項目３５７）
前記ユーザの眼の遠近調節を判定するステップをさらに含み、前記焦点は、少なくとも部分的に、前記判定された遠近調節に基づいて、計算される、項目３５０に記載のシステム。
（項目３５８）
複数のビームレットの光の角度軌道を選択し、焦点外れ光ビームを作成する、項目３５０に記載のシステム。
（項目３５９）
複数のビームレットは、前記ユーザに提示されるべき画像データのピクセルを表す、項目３５０に記載のシステム。
（項目３６０）
前記ビームレットは、複数の入射角度で前記眼に衝突する、項目３５１に記載のシステム。
（項目３６１）
システムであって、
ユーザの瞳孔の場所を判定するためのプロセッサと、
画像データの１つまたはそれを上回るフレームと関連付けられた光を投影するための空間光変調器（ＳＬＭ）のアレイであって、ＳＬＭのアレイは、少なくとも部分的に、前記ユーザの瞳孔の判定された場所に基づいて、位置付けられ、前記ユーザによって視認されると、明視野を発生する、ＳＬＭのアレイと、
を備える、システム。
（項目３６２）
仮想コンテンツをユーザに表示するためのシステムであって、
画像データの１つまたはそれを上回るフレームを提供するための画像発生源と、
前記画像データの１つまたはそれを上回るフレームと関連付けられた光線を選択的に伝送するように構成される、第１の空間光変調器（ＳＬＭ）と、
前記第１のＳＬＭに対して位置付けられる第２のＳＬＭであって、同様に、前記画像データの１つまたはそれを上回るフレームと関連付けられた光線を選択的に伝送するように構成される、第２のＳＬＭと、
前記伝送された光線が前記ユーザによって視認されると明視野が作成されるような様式で前記第１および第２のＳＬＭを制御するためのプロセッサと、
を備える、システム。
（項目３６３）
前記ユーザの眼の遠近調節を判定するための遠近調節追跡モジュールをさらに備える、項目３６１または３６２に記載のシステム。
（項目３６４）
前記ＳＬＭは、ＬＣＤである、項目３６１または３６２に記載のシステム。
（項目３６５）
前記ＬＣＤは、減衰される、項目３６１または３６２に記載のシステム。
（項目３６６）
前記ＬＣＤは、前記伝送された光の偏光を回転させる、項目３６１または３６２に記載のシステム。
（項目３６７）
前記ＳＬＭは、ＤＭＤである、項目３６１または３６２に記載のシステム。
（項目３６８）
前記ＤＭＤは、１つまたはそれを上回るレンズに結合される、項目３６２に記載のシステム。
（項目３６９）
前記ＳＬＭは、ＭＥＭアレイである、項目３６１または３６２に記載のシステム。
（項目３７０）
前記ＭＥＭアレイは、スライド式ＭＥＭシャッタのアレイを備える、項目３６９に記載のシステム。
（項目３７１）
前記ＭＥＭアレイは、Ｐｉｘｔｒｏｎｉｃｓ（Ｒ）ＭＥＭアレイである、項目３６９に記載のシステム。
（項目３７２）
仮想コンテンツをユーザに表示するためのシステムであって、
前記ユーザに提示されるべき画像データの１つまたはそれを上回るフレームと関連付けられた光を投影するための複数の光ファイバを備え、前記複数の光ファイバコアの光ファイバコアは、レンズに結合され、前記レンズは、前記走査ファイバによって投影される光ビームの直径を改変するように構成され、前記レンズは、勾配屈折率を備える、システム。
（項目３７３）
前記レンズは、ＧＲＩＮレンズである、項目３７２に記載のシステム。
（項目３７４）
前記レンズは、前記光ビームをコリメートする、項目３７２に記載のシステム。
（項目３７５）
前記複数の光ファイバコアの光ファイバコアに結合され、前記ファイバを走査するためのアクチュエータをさらに備える、項目３７２に記載のシステム。
（項目３７６）
前記アクチュエータは、圧電アクチュエータである、項目３７５に記載のシステム。
（項目３７７）
前記光ファイバコアの端部は、レンズ効果を作成するための角度で研磨される、項目３７２に記載のシステム。
（項目３７８）
前記光ファイバコアの端部は、レンズ効果を作成するように溶融される、項目３７２に記載のシステム。
（項目３７９）
仮想コンテンツをユーザに表示するための方法であって、
画像データの１つまたはそれを上回るフレームと関連付けられた光を投影するステップであって、前記光は、複数の光ファイバコアを通して投影される、ステップと、
前記複数の光ファイバコアを通して投影される光をレンズを通して修正するステップであって、前記レンズは、前記複数の光ファイバコアの先端に結合される、ステップと、
前記修正された光を前記ユーザに送達するステップと、
を含む、方法。
（項目３８０）
前記レンズは、ＧＲＩＮレンズである、項目３７９に記載の方法。
（項目３８１）
前記レンズは、勾配屈折率を備える、項目３７９に記載の方法。
（項目３８２）
前記レンズは、前記光ファイバコアによって投影される光ビームをコリメートする、項目３７９に記載の方法。
（項目３８３）
前記レンズは、複数の光ファイバコアに結合される、項目３７９に記載の方法。
（項目３８４）
前記レンズは、単一光ファイバコアに結合される、項目３７９に記載の方法。
（項目３８５）
１つまたはそれを上回る光ファイバコアは、研磨された端部を含み、レンズ効果を作成する、項目３７９に記載の方法。
（項目３８６）
１つまたはそれを上回る光ファイバコアは、溶融され、レンズ効果を作成する、項目３６７に記載の方法。
（項目３８７）
仮想コンテンツを表示するためのシステムであって、
複数のファイバを備え、画像データの１つまたはそれを上回るフレームと関連付けられた光を多重化するためのマルチコアアセンブリと、
第１の視認ゾーンが画像の第１の部分と関連付けられた光のみを受光し、第２の視認ゾーンが前記画像の第２の部分と関連付けられた光のみを受光するように、前記光パターンを受光し、前記光パターンを伝送するための導波管であって、前記第１および第２の視認ゾーンは、わずか０．５ｍｍである、導波管と、
を備える、システム。
（項目３８８）
前記画像データのフレームの１つまたはそれを上回る部分をぼかすためのぼかしソフトウェアをさらに備える、項目３８７に記載のシステム。
（項目３８９）
前記ユーザの眼の遠近調節を判定するための遠近調節モジュールをさらに備える、項目３８７に記載のシステム。
（項目３９０）
前記導波管は、中間視認光学を伴わずに、光をユーザの眼に直接投影する、項目３８７に記載のシステム。
（項目３９１）
システムであって、
複数のファイバを備え、画像データの１つまたはそれを上回るフレームと関連付けられた光を多重化するためのマルチコアアセンブリと、
第１の視認ゾーンが画像の第１の部分と関連付けられた光のみを受光し、第２の視認ゾーンが前記画像の第２の部分と関連付けられた光のみを受光するように、前記光パターンを受光し、前記光パターンを伝送するための導波管であって、前記第１および第２の視認ゾーンは、わずか０．５ｍｍである、導波管と、
前記導波管に結合され、前記第１および第２の視認ゾーンに伝送される光ビームを修正するための光学アセンブリと、
を備える、システム。
（項目３９２）
前記複数のファイバは、光を単一導波管アレイの中に投影する、項目３９１に記載のシステム。
（項目３９３）
前記マルチコアアセンブリは、走査される、項目３９１に記載のシステム。
（項目３９４）
時変明視野が、発生される、項目３９１に記載のシステム。
（項目３９５）
前記光学アセンブリは、ＤＯＥ要素である、項目３９１に記載のシステム。
（項目３９６）
前記光学アセンブリは、ＬＣ層である、項目３９１に記載のシステム。
（項目３９７）
方法であって、
画像データの１つまたはそれを上回るフレームと関連付けられた光をマルチコアアセンブリを通して投影するステップであって、前記マルチコアアセンブリは、複数の光ファイバコアを備える、ステップと、
前記ユーザの瞳孔の第１の部分が画像の第１の部分と関連付けられた光を受光し、前記ユーザの瞳孔の第２の部分が前記画像の第２の部分と関連付けられた光を受光するように、前記投影された光を導波管を通して送達するステップと、
を含む、方法。
（項目３９８）
前記第１および第２の部分の直径は、わずか０．５ｍｍである、項目３９７に記載の方法。
（項目３９９）
前記複数の光ファイバコアは、光を単一導波管アレイの中に投影する、項目３９７に記載の方法。
（項目４００）
前記マルチコアアセンブリは、走査される、項目３９７に記載の方法。
（項目４０１）
前記導波管は、複数の反射体を備える、項目３９７に記載の方法。
（項目４０２）
前記反射体の角度は、可変である、項目４０１に記載の方法。
（項目４０３）
前記第１および第２の視認ゾーンに送達されている光を修正するための光学の集合をさらに含む、項目３９７に記載の方法。
（項目４０４）
前記光学の集合は、ＤＯＥ要素である、項目４０３に記載の方法。
（項目４０５）
前記光学の集合は、自由形状光学である、項目４０３に記載の方法。
（項目４０６）
前記光学の集合は、ＬＣ層である、項目４０３に記載の方法。
（項目４０７）
システムであって、
ユーザに提示されるべき画像データの１つまたはそれを上回るフレームと関連付けられた光を投影するためのマイクロプロジェクタのアレイであって、前記マイクロプロジェクタのアレイは、前記ユーザの瞳孔の場所に対して位置付けられ、前記光は、前記ユーザの瞳孔の中に投影される、マイクロプロジェクタを備える、システム。
（項目４０８）
前記第１および第２の光ビームは、重畳される、項目４０７に記載のファイバ走査ディスプレイ。
（項目４０９）
前記第１および第２の光ビームは、少なくとも部分的に、前記研磨された束状ファイバの臨界角に基づいて、偏向される、項目４０７に記載のファイバ走査ディスプレイ。
（項目４１０）
前記研磨された束状ファイバは、前記ディスプレイの分解能を増加させるために使用される、項目４０７に記載のファイバ走査ディスプレイ。
（項目４１１）
前記研磨された束状ファイバは、明視野を作成するために使用される、項目４０７に記載のファイバ走査ディスプレイ。
（項目４１２）
システムであって、
ユーザに提示されるべき画像データの１つまたはそれを上回るフレームと関連付けられた光を投影するためのマイクロプロジェクタのアレイであって、前記マイクロプロジェクタのアレイは、前記ユーザの瞳孔の場所に対して位置付けられ、前記光は、前記ユーザの瞳孔の中に投影される、マイクロプロジェクタと、
前記マイクロプロジェクタのアレイに結合され、前記ユーザの瞳孔の中に投影される光を修正するための光学要素と、
を備える、システム。
（項目４１３）
システムであって、
光ビームを伝送するための複数のマルチコアファイバであって、前記複数のビームは、ともに結合される、複数のマルチコアファイバと、
前記複数のマルチコアファイバをともに束化するための結合要素であって、マルチコアファイバの束は、前記束状ファイバの第１のファイバから伝送された第１の光ビームが第１の経路長を有し、前記束状ファイバの第２のファイバから伝送された第２の光ビームが第２の経路長を有するように、前記ファイバの縦軸に対して臨界角で研磨され、前記第１の経路長は、前記第１の光ビームが前記第２の光ビームに対して位相がずれるように、前記第２の経路長と異なる、結合要素と、
を備える、システム。
（項目４１４）
前記第１および第２の光ビームは、重畳される、項目４１２または４１３に記載のシステム。
（項目４１５）
前記第１および第２の光ビームは、少なくとも部分的に、前記研磨された束状ファイバの臨界角に基づいて、偏向される、項目４１２または４１３に記載のシステム。
（項目４１６）
前記研磨された束状ファイバは、前記ディスプレイの分解能を増加させるために使用される、項目４１２または４１３に記載のシステム。
（項目４１７）
前記研磨された束状ファイバは、明視野を作成するために使用される、項目４１２または４１３に記載のシステム。
（項目４１８）
仮想コンテンツをユーザに表示するためのシステムであって、
画像データの１つまたはそれを上回るフレームを提供するための画像発生源と、
前記画像データの１つまたはそれを上回るフレームと関連付けられた光ビームを伝送するための複数の光ファイバコアと、
前記複数の光ファイバコアに結合され、コリメートされた光を前記光ファイバコアから受光し、前記光ビームを前記ユーザの眼に送達するための光学要素であって、前記光ビームは、第１の光ビームが第１の角度でユーザの眼の一部に送達され、第２の光ビームが第２の角度で前記ユーザの眼の同一部分に送達されるように、複数の角度で前記ユーザの眼に送達され、前記第１の角度は、前記第２の角度と異なる、光学要素と、
を備える、システム。
（項目４１９）
前記光学要素は、導波管である、項目４１８に記載のシステム。
（項目４２０）
前記光ファイバコアを通る光の伝送を変調させるための位相変調器をさらに備える、項目４１８に記載のシステム。
（項目４２１）
方法であって、
画像データの１つまたはそれを上回るフレームを提供するステップと、
前記画像データの１つまたはそれを上回るフレームと関連付けられた光ビームを複数の光ファイバコアを通して伝送するステップと、
前記光ビームを前記ユーザの眼に複数の角度で送達するステップと、
を含む、方法。
（項目４２２）
前記複数の光ファイバコアの位相遅延を変調させるステップをさらに含む、項目４２１に記載の方法。
（項目４２３）
光学要素を前記複数の光ファイバコアに結合するステップをさらに含む、項目４２１に記載の方法。
（項目４２４）
前記光学要素は、導波管である、項目４２３に記載の方法。
（項目４２５）
前記光学要素は、自由形状光学である、項目４２３に記載の方法。
（項目４２６）
前記光学要素は、ＤＯＥである、項目４２３に記載の方法。
（項目４２７）
前記光学要素は、ＳＧＯである、項目４２３に記載の方法。
（項目４２８）
仮想現実ディスプレイシステムであって、
ユーザに提示されるべき１つまたはそれを上回る画像と関連付けられた光ビームを発生させるための複数の光ファイバコアと、
前記複数の光ファイバコアに結合され、前記光ビームを変調させるための複数の位相変調器であって、前記複数の光ビームの結果として発生される波面に影響を及ぼす様式で前記光を変調させる、複数の位相変調器と、
を備える、システム。
（項目４２９）
１つまたはそれを上回る光ファイバコアは、１つまたはそれを上回る角度で偏向される、項目４２８に記載の仮想現実ディスプレイシステム。
（項目４３０）
前記複数の光ファイバコアの光ファイバは、ＧＲＩＮレンズに結合される、項目４２８に記載の仮想現実ディスプレイシステム。
（項目４３１）
前記複数の光ファイバコアは、前記光ファイバコアを走査するように物理的に作動される、項目４２８に記載の仮想現実ディスプレイシステム。
（項目４３２）
方法であって、
ユーザに提示されるべき画像データの１つまたはそれを上回るフレームを提供するステップと、
複数の光ファイバコアを通して、前記画像データの１つまたはそれを上回るフレームと関連付けられた光を投影するステップと、
複数の位相変調器を通して、前記複数の光ファイバコアによって生成される凝集波面に影響を及ぼす様式で前記複数の光ファイバコアによって投影される光を変調させるステップと、
を含む、方法。
（項目４３３）
前記１つまたはそれを上回る光ファイバコアによって投影される光は、１つまたはそれを上回る角度で偏向される、項目４３２に記載の方法。
（項目４３４）
１つまたはそれを上回る光ファイバコアは、ＧＲＩＮレンズに結合される、項目４３２に記載の方法。
（項目４３５）
前記光学光ビームを走査するステップをさらに含み、前記複数の光ファイバコアは、前記光ファイバコアを走査するように物理的に作動される、項目４３２に記載の方法。
（項目４３６）
仮想コンテンツを表示するためのシステムであって、
ユーザに提示されるべき画像と関連付けられた光ビームを伝送するための光ファイバコアのアレイと、
前記光ファイバコアのアレイに結合され、前記光ファイバコアのアレイによって出力される複数の光ビームを単一節点を通して偏向させるためのレンズであって、前記レンズは、前記光ファイバコアの移動が前記レンズを移動させるように、前記光ファイバコアに物理的に取り付けられ、前記単一節点は、走査される、レンズと、
を備える、システム。
（項目４３７）
前記光ファイバコアのアレイによって出力される光ビームは、前記ユーザに提示されるべき画像のピクセルを表す、項目４３６に記載のシステム。
（項目４３８）
前記レンズは、ＧＲＩＮレンズである、項目４３６に記載のシステム。
（項目４３９）
前記光ファイバコアのアレイは、明視野を表示するために使用される、項目４３６に記載のシステム。
（項目４４０）
光ファイバコアの別のアレイによって出力された光ビームの別の集合は、前記ユーザに提示されるべき画像の別のピクセルを表す、項目４３６に記載のシステム。
（項目４４１）
複数の光ファイバコアのアレイは、組み合わせられ、前記ユーザに提示されるべき画像のピクセルを表す、項目４３６に記載のシステム。
（項目４４２）
前記光ファイバコアのアレイは、前記光ビームを前記ユーザの瞳孔の所定の部分に送達するように構成される、項目４３６に記載のシステム。
（項目４４３）
前記出力光ビームは、発散性である、項目４３６に記載のシステム。
（項目４４４）
前記出力光ビームは、収束性である、項目４３６に記載のシステム。
（項目４４５）
前記出力光ビームの開口数は、前記個々の光ファイバコアによって伝送された光ビームに対して増加される、項目４３６に記載のシステム。
（項目４４６）
前記開口数の増加は、より高い分解能を可能にする、項目４４５に記載のシステム。
（項目４４７）
前記光ファイバコアのアレイは、第１の光ファイバを通して進行する第１の光ビームの経路長が、第２の光ファイバを通して進行する第２の光ビームと異なるような様式で斜角が付けられ、それによって、前記光ビームの複数の焦点距離が前記ユーザの眼に送達されることを可能にする、項目４３６に記載のシステム。
（項目４４８）
仮想コンテンツをユーザに表示するためのシステムであって、
画像データの１つまたはそれを上回るフレームと関連付けられた光を投影するための光ファイバコアのアレイであって、前記光ファイバコアのアレイの１つまたはそれを上回る光ファイバコアは、前記投影された光が偏向されるような角度で研磨され、前記研磨された角度は、光学要素に対して前記光ファイバコアのアレイの第１の光ファイバコアと第２の光ファイバコアとの間に経路長差を生じさせる、光ファイバコアのアレイと、
前記偏向された光ビームを受光し、それらを少なくとも１つの軸において走査するための光スキャナと、
を備える、システム。
（項目４４９）
仮想または拡張現実体験のうちの少なくとも１つをユーザに提供するためのシステムであって、
フレームと、
前記フレームによって担持され、前記フレームが前記ユーザによって装着されると、前記ユーザの少なくとも片眼の正面に位置付け可能である、マイクロプロジェクタのアレイと、
前記マイクロプロジェクタのアレイに通信可能に結合され、画像情報を前記マイクロプロジェクタに提供するためのローカルコントローラであって、前記ローカルコントローラは、少なくとも１つのプロセッサと、前記少なくとも１つのプロセッサに通信可能に結合される少なくとも１つの非一過性プロセッサ可読媒体とを備え、前記少なくとも１つの非一過性プロセッサ可読媒体は、前記少なくとも１つのプロセッサによって実行されると、前記少なくとも１つのプロセッサに、データの処理、キャッシュ、および記憶のうちの少なくとも１つを行わせ、前記画像情報を前記マイクロプロジェクタに提供し、仮想または拡張現実視覚体験のうちの少なくとも１つを前記ユーザに生成する、少なくとも１つのプロセッサ実行可能命令またはデータを記憶する、ローカルコントローラと、
を備える、システム。
（項目４５０）
前記フレームによって支持され、前記フレームが前記ユーザによって装着されると、前記マイクロプロジェクタからの光を前記ユーザの少なくとも片眼に向かって指向するように位置付けおよび配向される、少なくとも１つの反射体をさらに備える、項目４４９に記載のシステム。
（項目４５１）
前記マイクロプロジェクタは、複数の走査ファイバディスプレイの個別のものを備える、項目４４９に記載のシステム。
（項目４５２）
前記走査ファイバディスプレイはそれぞれ、個別のコリメートレンズをその遠位先端に有する、項目４４９に記載のシステム。
（項目４５３）
前記個別のコリメートレンズは、勾配屈折率（ＧＲＩＮ）レンズである、項目４４９に記載のシステム。
（項目４５４）
前記個別のコリメートレンズは、湾曲レンズである、項目４４９に記載のシステム。
（項目４５５）
前記個別のコリメートレンズは、前記個別の走査ファイバディスプレイの遠位先端に融合される、項目４４９に記載のシステム。
（項目４５６）
前記走査ファイバディスプレイは、個別の回折レンズをその遠位先端に有する、項目４４９に記載のシステム。
（項目４５７）
前記走査ファイバディスプレイはそれぞれ、拡散器をその遠位先端に有する、項目４４９に記載のシステム。
（項目４５８）
前記拡散器は、前記個別の遠位先端の中にエッチングされる、項目４５７に記載のシステム。
（項目４５９）
前記走査ファイバディスプレイはそれぞれ、個別のレンズをその遠位先端に有し、前記レンズは、刺激に応答して自由に振動するように十分な距離だけ前記遠位先端から延在する、項目４４９に記載のシステム。
（項目４６０）
前記走査ファイバディスプレイはそれぞれ、個別の反射体をその遠位先端に有し、前記反射体は、刺激に応答して自由に振動するように十分な距離だけ前記遠位先端から延在する、項目４４９に記載のシステム。
（項目４６１）
走査ファイバディスプレイはそれぞれ、個別の単一モード光ファイバを含む、項目４６０に記載のシステム。
（項目４６２）
走査ファイバディスプレイはそれぞれ、前記単一モード光ファイバの少なくとも遠位先端を移動させるように結合される、個別の機械的変換器を含む、項目４６０に記載のシステム。
（項目４６３）
前記個別の機械的変換器はそれぞれ、圧電アクチュエータである、項目４６２に記載のシステム。
（項目４６４）
各前記単一モード光ファイバコアは、遠位先端を有し、前記遠位先端は、半球状レンズ形状を有する、項目４６１に記載のシステム。
（項目４６５）
各前記単一モード光ファイバコアは、遠位先端を有し、前記遠位先端は、そこに添着された屈折レンズを有する、項目４６１に記載のシステム。
（項目４６６）
前記複数の単一モード光ファイバコアをともに保定する、透明ホルダ基板をさらに備える、項目４６１に記載のシステム。
（項目４６７）
前記透明ホルダ基板は、少なくとも、前記単一モード光ファイバコアのクラッディングの屈折率にほぼ一致する、屈折率を有する、項目４６１に記載のシステム。
（項目４６８）
前記透明ホルダ基板は、それぞれ角度付けられた複数の単一モード光ファイバコアを共通スポットに向かって保定する、項目４６１に記載のシステム。
（項目４６９）
前記複数の単一モード光ファイバコアを連動して移動させるように結合される少なくとも１つの機械的変換器をさらに備える、項目４６１に記載のシステム。
（項目４７０）
前記少なくとも１つの機械的変換器は、その一部が前記透明ホルダ基板から片持ち支持される、前記単一モード光ファイバコアの機械的共振周波数で、前記複数の単一モード光ファイバコアを振動させる、項目４４９に記載のシステム。
（項目４７１）
前記マイクロプロジェクタは、複数の平面導波管の個別のものを備え、前記平面導波管のそれぞれの一部は、ホルダ基板から片持ち支持されて延在する、項目４４９に記載のシステム。
（項目４７２）
前記複数の平面導波管を連動して移動させるように結合される少なくとも１つの機械的変換器をさらに備える、項目４７１に記載のシステム。
（項目４７３）
前記少なくとも１つの機械的変換器は、前記ホルダ基板を前記平面導波管の機械的共振周波数で振動させる、項目４７２に記載のシステム。
（項目４７４）
前記マイクロプロジェクタは、前記平面導波管の個別のものを前記ホルダ基板に対して移動させるように結合される複数の圧電アクチュエータの個別のものを備える、項目４７２に記載のシステム。
（項目４７５）
前記平面導波管はそれぞれ、前記平面導波管の個別の長さに沿って、全内部反射経路を定義し、前記平面導波管は、前記個別の全内部反射経路から外向きに光を伝搬するように動作可能な複数の電子的に切替可能な回折光学要素（ＤＯＥ）の個別のものを備える、項目４７２に記載のシステム。
（項目４７６）
前記マイクロプロジェクタのアレイは、光ファイバコアのアレイを備え、それぞれ、遠位先端と、少なくとも１つの斜縁とを有する、項目４４９に記載のシステム。
（項目４７７）
前記少なくとも１つの斜縁は、前記遠位先端にあって、前記遠位先端は、研磨された遠位先端である、項目４７６に記載のシステム。
（項目４７８）
前記光ファイバコアはそれぞれ、反射表面をその前記個別の遠位先端に有する、項目４７７に記載のシステム。
（項目４７９）
前記遠位先端は、前記個別の光ファイバの縦軸に対して定義された臨界角で前記遠位先端に出力縁を有する、項目４７８に記載のシステム。
（項目４８０）
前記定義された臨界角は、前記個別の光ファイバの縦軸に対して約４５度である、項目４７９に記載のシステム。
（項目４８１）
前記光の複数のビームを受光するための前記光ファイバコアの遠位端から出射する光の光学経路内の合焦レンズであって、前記ビームは、相互に位相がずれている、合焦レンズをさらに備える、項目４４９に記載のシステム。
（項目４８２）
前記光ファイバコアのうちの少なくとも１つをＸ−Ｙデカルト座標系内で移動させ、前記少なくとも１つの光ファイバによって放出される光をＸ−Ｚデカルト座標系内で移動させるように結合される、少なくとも１つの変換器をさらに備える、項目４４９に記載のシステム。
（項目４８３）
前記少なくとも１つの変換器は、前記光ファイバコアの片持ち支持される部分を前記片持ち支持される部分が延在する方向に垂直の方向に共振させる、第１の圧電アクチュエータである、項目４４９に記載のシステム。
（項目４８４）
前記光ファイバコアは、光ファイバコアの薄いリボンを備える、項目４８３に記載のシステム。
（項目４８５）
前記少なくとも１つの変換器は、前記光ファイバコアの少なくとも片持ち支持される部分を前記片持ち支持される部分が延在する方向に縦方向に移動させる、第２の圧電アクチュエータである、項目４８２に記載のシステム。
（項目４８６）
前記マイクロプロジェクタは、前記光ファイバコアのうちの少なくとも１つの縦軸に沿って低速走査を提供するように動作可能な少なくとも１つの単一軸鏡を含む、項目４８５に記載のシステム。
（項目４８７）
前記光ファイバコアのアレイは、マルチコアファイバを備える、項目４４９に記載のシステム。
（項目４８８）
前記マルチコアファイバは、約７つの複数の疎らに位置付けられたクラスタを単一導管内に含み、各クラスタは、３つの光ファイバコアを備え、各光ファイバは、３つの異なる光の色の個別のものを搬送する、項目４８７に記載のシステム。
（項目４８９）
前記マルチコアファイバは、約１９の複数の疎らに位置付けられたクラスタを単一導管内に含み、各クラスタは、３つの光ファイバコアを備え、各光ファイバは、３つの異なる光の色の個別のものを搬送し、３つの異なる色の重複されたスポットの三連構造を生成する、項目４８７に記載のシステム。
（項目４９０）
前記マルチコアファイバは、少なくとも１つのクラスタを単一導管内に含み、前記クラスタは、それぞれ、少なくとも３つの光ファイバコアを備え、前記光ファイバコアはそれぞれ、少なくとも２つの異なる光の色を搬送する、項目４８７に記載のシステム。
（項目４９１）
前記マルチコアファイバは、少なくとも１つのクラスタを単一導管内に含み、前記少なくとも１つのクラスタは、４つの光ファイバコアを備え、各光ファイバは、４つの異なる光の色の個別のものを搬送し、前記４つの色のうちの１つは、赤外線または近赤外線である、項目４９０に記載のシステム。
（項目４９２）
前記マルチコアファイバは、複数のコアを密束内に含み、
前記コアを疎らな渦巻パターンで移動させるように結合される少なくとも１つの変換器をさらに備える、
項目４９０に記載のシステム。
（項目４９３）
前記少なくとも１つの斜縁は、前記遠位先端から内向きに離間される、項目４７６に記載のシステム。
（項目４９４）
前記少なくとも１つの斜縁は、研磨される、項目４７６に記載のシステム。
（項目４９５）
前記光ファイバコアのうちの少なくとも１つをＸ−Ｙデカルト座標系内で移動させ、前記少なくとも１つの光ファイバによって放出される光をＸ−Ｚデカルト座標系内で移動させるように結合される、少なくとも１つの変換器をさらに備える、項目４９４に記載のシステム。
（項目４９６）
前記光の複数のビームを受光するための前記光ファイバコアの斜縁から出射する光の光学経路内の合焦レンズであって、前記ビームは、相互に位相がずれている、合焦レンズをさらに備える、項目４９３に記載のシステム。
（項目４９７）
レーザと、
前記レーザの出力を前記マルチコアファイバのいくつかのコアに光学的に結合し、相互コヒーレンスを達成する、少なくとも１つの位相変調器と、
をさらに備える、項目４８３に記載のシステム。
（項目４９８）
前記マルチコアファイバのいくつかのコアの個別のものの入力端の上流に光学的に結合される、レンズレットアレイと、
前記複数のコリメートレンズと前記マルチコアファイバのコアの入力端との間に光学的に結合され、光を前記レンズレットアレイから前記マルチコアファイバのコアに偏向させる、プリズムアレイと、
をさらに備える、項目４９７に記載のシステム。
（項目４９９）
前記マルチコアファイバのいくつかのコアの個別のものの入力端の上流に光学的に結合される、レンズレットアレイと、
前記レンズレットアレイと前記マルチコアファイバのコアの入力端との間に光学的に結合され、光を前記レンズレットアレイから前記マルチコアファイバのコアに偏向させる、共有合焦レンズと、
をさらに備える、項目４９８に記載のシステム。
（項目５００）
前記マイクロプロジェクタのアレイはさらに、少なくとも１つの反射体を備え、前記少なくとも１つの反射体は、走査パターンを生成し、前記光ファイバコアのアレイに光学的に結合されるように動作可能である、項目４７６に記載のシステム。
（項目５０１）
前記少なくとも１つの反射体は、多焦点ビームのラスター走査パターン、リサジュー走査パターン、または渦巻走査パターンのうちの少なくとも１つを生成するように動作可能である、項目５００に記載のシステム。
（項目５０２）
前記マルチコアファイバの各コアは、重複しないように、画像平面の個別の部分をアドレス指定する、項目４７６に記載のシステム。
（項目５０３）
前記マルチコアファイバの各コアは、実質的に重複するように、画像平面の個別の部分をアドレス指定する、項目４７６に記載のシステム。
（項目５０４）
仮想コンテンツを表示するためのシステムであって、
ユーザに提示されるべき画像データの１つまたはそれを上回るフレームを提供するための画像源と、
ファイバ走査ディスプレイであって、前記ファイバ走査ディスプレイは、複数のファイバを備え、前記画像データの１つまたはそれを上回るフレームと関連付けられた光を投影し、前記複数のファイバは、アクチュエータを使用して走査される、ファイバ走査ディスプレイと、
明視野が前記ユーザに提示されるような様式で前記ファイバ走査ディスプレイを制御するためのプロセッサと、
を備える、システム。
（項目５０５）
前記アクチュエータは、前記ファイバ走査ディスプレイの全ファイバ間で共有される、項目５０４に記載のシステム。
（項目５０６）
各ファイバは、その個々のアクチュエータを有する、項目５０４に記載のシステム。
（項目５０７）
前記複数のファイバは、前記複数のファイバがともに移動するように、格子によって機械的に結合される、項目５０５に記載のシステム。
（項目５０８）
前記格子は、グラフェン平面である、項目５０７に記載のシステム。
（項目５０９）
前記格子は、軽量支柱である、項目５０７に記載のシステム。
（項目５１０）
仮想または拡張現実体験のうちの少なくとも１つをユーザに提供するためのシステムであって、
フレームと、
前記フレームによって担持され、前記フレームが前記ユーザによって装着されると、前記ユーザの少なくとも片眼の正面に位置付け可能である、ディスプレイシステムと、
前記ディスプレイシステムに通信可能に結合され、画像情報を前記ディスプレイシステムに提供する、ローカルコントローラであって、前記ローカルコントローラは、少なくとも１つのプロセッサと、前記少なくとも１つのプロセッサに通信可能に結合される少なくとも１つの非一過性プロセッサ可読媒体とを備え、前記少なくとも１つの非一過性プロセッサ可読媒体は、前記少なくとも１つのプロセッサによって実行されると、前記少なくとも１つのプロセッサに、データの処理、キャッシュ、および記憶のうちの少なくとも１つを行わせ、前記画像情報を前記ディスプレイに提供し、仮想または拡張現実視覚体験のうちの少なくとも１つを前記ユーザに生成する、少なくとも１つのプロセッサ実行可能命令またはデータを記憶する、ローカルコントローラと、
を備える、システム。
（項目５１１）
前記ディスプレイは、少なくとも１つの楔形状の導波管を備え、前記楔形状の導波管は、前記第１の楔形状の導波管の厚さを横断して相互に対向する少なくとも２つの平坦表面を有し、かつそれに沿って、前記楔形状の導波管の入射部分を介して前記楔形状の導波管に定義された角度で入射する光が、全内部反射を介して伝搬する、長さを有し、前記楔形状の導波管の厚さは、前記楔形状の導波管の長さに沿って線形に変動する、項目５１０に記載のシステム。
（項目５１２）
前記楔形状の導波管は、二峰性全内部反射を提供する、項目５１１に記載のシステム。
（項目５１３）
前記楔形状の導波管の入射部分に沿って個別の異なる場所において、前記楔形状の導波管に光学的に結合される、少なくとも２つのプロジェクタをさらに備える、項目５１０に記載のシステム。
（項目５１４）
前記楔形状の導波管の入射部分に沿って個別の異なる場所において、前記楔形状の導波管に光学的に結合される、複数のプロジェクタの第１の線形アレイをさらに備える、項目５１０に記載のシステム。
（項目５１５）
前記複数のプロジェクタの第１の線形アレイのプロジェクタは、走査ファイバディスプレイである、項目５１４に記載のシステム。
（項目５１６）
前記楔形状の導波管の入射部分に沿って前記楔形状の導波管に光学的に結合される、複数の空間光変調器のスタックをさらに備える、項目５１０に記載のシステム。
（項目５１７）
前記楔形状の導波管の入射部分に沿って１つまたはそれを上回る場所において、前記楔形状の導波管に光学的に結合される、マルチコア光ファイバをさらに備える、項目５１０に記載のシステム。
（項目５１８）
前記プロジェクタの第１の線形アレイのプロジェクタは、前記楔形状の導波管に光学的に結合され、光を前記楔形状の導波管の中に第１の角度で投入し、
前記楔形状の導波管の入射部分に沿って個別の異なる場所において、前記楔形状の導波管に光学的に結合される、複数のプロジェクタの第２の線形アレイであって、前記プロジェクタの第２の線形アレイのプロジェクタは、前記楔形状の導波管に光学的に結合され、光を前記楔形状の導波管の中に第２の角度で投入し、前記第２の角度は、前記第１の角度と異なる、第２の線形アレイをさらに備える、項目５１０に記載のシステム。
（項目５１９）
前記入射部分は、前記楔形状の導波管の縦方向端である、項目５１０に記載のシステム。
（項目５２０）
前記入射部分は、前記楔形状の導波管の側方縁である、項目５１０に記載のシステム。
（項目５２１）
前記入射部分は、前記楔形状の導波管の平坦表面の１つである、項目５１０に記載のシステム。
（項目５２２）
プロジェクタに光学的に結合され、前記プロジェクタから受光された光の角度を変化させ、前記光を前記楔形状の導波管内で前記光の全内部反射を達成する角度で前記楔形状の導波管に光学的に結合する、少なくとも１つの光学構成要素をさらに備える、項目５１０に記載のシステム。
（項目５２３）
仮想コンテンツをユーザに表示するためのシステムであって、
前記ユーザに提示されるべき画像データの１つまたはそれを上回るフレームと関連付けられた光ビームを投影するためのマイクロプロジェクタのアレイであって、前記マイクロプロジェクタのアレイの１つまたはそれを上回るマイクロプロジェクタに対して可動であるように構成可能である、マイクロプロジェクタと、
前記マイクロプロジェクタのアレイを格納するためのフレームと、
前記１つまたはそれを上回る光ビームが、前記マイクロプロジェクタのアレイに対して、前記１つまたはそれを上回るマイクロプロジェクタの位置の関数として変調され、それによって、前記ユーザへの明視野画像の送達を可能にするような様式で前記マイクロプロジェクタのアレイの１つまたはそれを上回るマイクロプロジェクタに動作可能に結合され、前記１つまたはそれを上回るプロジェクタから伝送された１つまたはそれを上回る光ビームを制御するためのプロセッサと、
を備える、システム。
（項目５２４）
前記マイクロプロジェクタのアレイのマイクロプロジェクタは、レンズに結合される、項目５２３に記載のシステム。
（項目５２５）
前記マイクロプロジェクタのアレイは、前記ユーザに提示されるべき画像の所望の分解能に基づく様式で配列される、項目５２３に記載のシステム。
（項目５２６）
前記マイクロプロジェクタのアレイは、所望の視野に基づいて配列される、項目５２３に記載のシステム。
（項目５２７）
前記複数のマイクロプロジェクタの光ビームは、重複する、項目５２３に記載のシステム。
（項目５２８）
アクチュエータをさらに備え、前記アクチュエータは、１つまたはそれを上回るマイクロプロジェクタに結合され、前記アクチュエータは、前記１つまたはそれを上回るマイクロプロジェクタを移動させるように構成可能である、項目５２３に記載のシステム。
（項目５２９）
前記アクチュエータは、複数のマイクロプロジェクタに結合される、項目５２３に記載のシステム。
（項目５３０）
前記アクチュエータは、単一マイクロプロジェクタに結合される、項目５２３に記載のシステム。
（項目５３１）
前記マイクロプロジェクタのアレイのマイクロプロジェクタは、格子に機械的に結合される、項目５２３に記載のシステム。
（項目５３２）
前記格子は、グラフェンシートである、項目５３１に記載のシステム。
（項目５３３）
前記格子は、カーボンナノチューブのマトリクスである、項目５３１に記載のシステム。
（項目５３４）
複数のマイクロプロジェクタは、前記複数のマイクロプロジェクタが全て同一片持ち支持長であるように、レーザ切断デバイスを介して切断される、項目５２３に記載のシステム。
（項目５３５）
仮想または拡張現実ディスプレイのユーザの眼の角膜と界面接触するコンタクトレンズであって、
部分的半球状基板と、選択フィルタであって、光ビームをユーザの眼に選択的に通過させるように構成される、選択フィルタとを備える、コンタクトレンズ。
（項目５３６）
前記選択フィルタは、ノッチフィルタである、項目５３５に記載のコンタクトレンズ。
（項目５３７）
前記ノッチフィルタは、約４５０ｎｍ（ピーク青色）における波長を実質的に遮断し、前記電磁スペクトルの可視部分内の他の波長を実質的に通過させる、項目５３５に記載のコンタクトレンズ。
（項目５３８）
前記ノッチフィルタは、約５３０ｎｍ（緑色）における波長を実質的に遮断し、前記電磁スペクトルの可視部分内の他の波長を実質的に通過させる、項目５３５に記載のコンタクトレンズ。
（項目５３９）
前記ノッチフィルタは、約６５０ｎｍにおける波長を実質的に遮断し、前記電磁スペクトルの可視部分内の他の波長を実質的に通過させる、項目５３５に記載のコンタクトレンズ。
（項目５４０）
前記ノッチフィルタは、前記基板によって担持される誘電材料の複数の層を備える、項目５３９に記載のコンタクトレンズ。
（項目５４１）
前記フィルタは、１．５ｍｍ未満の直径のピンホール開口部を有する、項目５３９に記載のコンタクトレンズ。
（項目５４２）
前記ピンホール開口部は、複数の波長の光ビームが通過することを可能にする、項目５４１に記載のコンタクトレンズ。
（項目５４３）
前記ピンホールのサイズは、少なくとも部分的に、前記ディスプレイの所望の焦点深度に基づいて、変動される、項目５３９に記載のコンタクトレンズ。
（項目５４４）
複数の動作モードをさらに備える、項目５３９に記載のコンタクトレンズ。
（項目５４５）
前記仮想コンテンツの多焦点深度ディスプレイ構成をさらに備える、項目５３９に記載のコンタクトレンズ。
（項目５４６）
前記ユーザの眼の遠近調節を判定するための遠近調節追跡モジュールをさらに備える、項目５３９に記載のコンタクトレンズ。
（項目５４７）
特定のディスプレイオブジェクトの焦点深度が、少なくとも部分的に、前記判定された遠近調節に基づいて、変動される、項目５３９に記載のコンタクトレンズ。
（項目５４８）
画像が、導波管を通して中継され、前記中継された画像は、特定の焦点深度と関連付けられる、項目５３９に記載のコンタクトレンズ。
（項目５４９）
仮想コンテンツをユーザに表示するための方法であって、
ユーザに提示されるべき画像データの１つまたはそれを上回るフレームを提供するステップと、
前記画像データの１つまたはそれを上回るフレームと関連付けられた光を投影するステップと、
前記ユーザの瞳孔に結合される部分的半球状基板を通して、前記投影された光を受光し、前記ユーザの瞳孔への前記光ビームを選択的にフィルタリングするステップと、
を含む、方法。
（項目５５０）
前記光は、ノッチフィルタを通してフィルタリングされる、項目５４９に記載の方法。
（項目５５１）
前記ノッチフィルタは、約４５０ｎｍ（ピーク青色）における波長を実質的に遮断し、前記電磁スペクトルの可視部分内の他の波長を実質的に通過させる、項目５５０に記載の方法。
（項目５５２）
前記ノッチフィルタは、約５３０ｎｍ（緑色）における波長を実質的に遮断し、前記電磁スペクトルの可視部分内の他の波長を実質的に通過させる、項目５５０に記載の方法。
（項目５５３）
前記ノッチフィルタは、約６５０ｎｍにおける波長を実質的に遮断し、前記電磁スペクトルの可視部分内の他の波長を実質的に通過させる、項目５５０に記載の方法。
（項目５５４）
前記ノッチフィルタは、前記基板によって担持される誘電材料の複数の層を備える、項目５５０に記載の方法。
（項目５５５）
前記フィルタは、１．５ｍｍ未満の直径のピンホール開口部を有する、項目５５０に記載の方法。
（項目５５６）
前記ピンホール開口部は、複数の波長の光ビームが通過することを可能にする、項目５５５に記載の方法。
（項目５５７）
前記ピンホールのサイズは、少なくとも部分的に、前記ディスプレイの所望の焦点深度に基づいて、変動される、項目５５５に記載の方法。
（項目５５８）
前記部分的半球状基板は、コンタクトレンズである、項目５４９に記載の方法。
（項目５５９）
仮想コンテンツをユーザに表示するためのシステムであって、
画像データの１つまたはそれを上回るフレームと関連付けられた光をユーザの眼に投影するための光投影システムであって、前記画像データと関連付けられた複数のピクセルに対応する光を投影するように構成される、光投影システムと、
前記ユーザに表示される前記複数のピクセルの焦点深度を変調させるためのプロセッサと、
を備える、システム。
（項目５６０）
前記焦点深度は、空間的に変調される、項目５５９に記載のシステム。
（項目５６１）
前記焦点深度は、経時的に変調される、項目５５９に記載のシステム。
（項目５６２）
前記画像データの１つまたはそれを上回るフレームを時系列様式で提供するための画像発生源をさらに備える、項目５５９に記載のシステム。
（項目５６３）
前記焦点深度は、フレーム毎ベースで変調される、項目５５９に記載のシステム。
（項目５６４）
前記光投影システムは、複数の光ファイバコアを備え、前記焦点深度は、前記光ファイバコアの一部が第１の焦点深度と関連付けられ、前記光ファイバコアの別の部分が第２の焦点深度と関連付けられるように、前記複数の光ファイバコアを横断して変調され、前記第１の焦点深度は、前記第２の焦点深度と異なる、項目５５９に記載のシステム。
（項目５６５）
特定のフレームの第１のディスプレイオブジェクトは、第１の焦点深度を通して表示され、前記特定のフレームの第２のディスプレイオブジェクトは、第２の焦点深度を通して表示され、前記第１の焦点深度は、前記第２の焦点深度と異なる、項目５５９に記載のシステム。
（項目５６６）
特定のフレームの第１のピクセルは、第１の焦点深度と関連付けられ、前記特定のフレームの第２のピクセルは、第２の焦点深度と関連付けられ、前記第１の焦点深度は、前記第２の焦点深度と異なる、項目５５９に記載のシステム。
（項目５６７）
前記ユーザの眼の遠近調節を判定するための遠近調節追跡モジュールをさらに備え、前記焦点深度は、少なくとも部分的に、前記判定された遠近調節に基づいて、変調される、項目５５９に記載のシステム。
（項目５６８）
前記光発生システムと関連付けられた光発生パターンは、前記判定された遠近調節に動的に従動される、項目５６７に記載のシステム。
（項目５６９）
前記パターンは、複数の光ファイバコアの走査パターンである、項目５６８に記載のシステム。
（項目５７０）
前記画像データの１つまたはそれを上回る部分をぼかすためのぼかしモジュールをさらに備え、前記ぼかしは、第１の走査パターンと第２の走査パターンまたは第１の分解能走査ピッチと第２の分解能走査ピッチとの間の遷移を平滑化するために作成される、項目５５９に記載のシステム。
（項目５７１）
仮想コンテンツをユーザに表示するためのシステムであって、
画像データの１つまたはそれを上回るフレームと関連付けられた光をユーザの眼に投影するための光投影システムであって、前記画像データと関連付けられた複数のピクセルに対応する光を投影するように構成される、光投影システムと、
前記ユーザに表示される前記複数のピクセルのサイズを変調させるためのプロセッサと、
を備える、システム。
（項目５７２）
前記光投影システムは、ファイバ走査ディスプレイである、項目５７１に記載のシステム。
（項目５７３）
前記投影された光は、走査パターンを通して表示される、項目５７２に記載のシステム。
（項目５７４）
前記プロセッサは、少なくとも部分的に、走査パターンのタイプに基づいて、特定のピクセルのサイズを変調させる、項目５７１に記載のシステム。
（項目５７５）
前記１つまたはそれを上回るピクセルのサイズは、少なくとも部分的に、前記走査パターンの走査線間の距離に基づいて、変調されてもよい、項目５７１に記載のシステム。
（項目５７６）
第１のピクセルのサイズは、同一フレーム内の第２のピクセルのサイズと異なる、項目５７１に記載のシステム。
（項目５７７）
仮想コンテンツをユーザに表示するための方法であって、
画像データの１つまたはそれを上回るフレームと関連付けられた光を投影するステップであって、前記投影された光の１つまたはそれを上回る光ビームは、１つまたはそれを上回るピクセルに対応し、光は、ファイバ走査ディスプレイを通して投影される、ステップと、
前記ユーザに表示される前記１つまたはそれを上回るピクセルのサイズを変調させるステップと、
を含む、方法。
（項目５７８）
特定のピクセルのサイズは、少なくとも部分的に、前記ファイバ走査ディスプレイの走査パターンに基づいて、変動される、項目５７７に記載の方法。
（項目５７９）
前記１つまたはそれを上回るピクセルのサイズは、少なくとも部分的に、前記走査パターンの走査線間の距離に基づいて、変調される、項目５７８に記載の方法。
（項目５８０）
前記１つまたはそれを上回るピクセルのサイズは、可変である、項目５７９に記載の方法。
（項目５８１）
仮想コンテンツをユーザに表示するためのシステムであって、
画像データの１つまたはそれを上回るフレームと関連付けられた光を送達する、ディスプレイシステムであって、複数のピクセルを備え、可変線ピッチを有する光を走査する、ディスプレイシステムと、
前記複数のピクセルの１つまたはそれを上回るピクセルの可変ぼかしを行い、前記１つまたはそれを上回るピクセルのサイズを修正するためのぼかしモジュールと、
ピクセルサイズが、少なくとも部分的に、前記ディスプレイシステムの線ピッチに基づいて、変動されるような様式で前記ぼかしモジュールを制御するためのプロセッサと、
を備える、システム。
（項目５８２）
前記ディスプレイシステムは、ファイバ走査システムである、項目５８１に記載のシステム。
（項目５８３）
前記ピクセルサイズは、拡大される、項目５８１に記載のシステム。
（項目５８４）
前記ピクセルサイズは、縮小される、項目５８１に記載のシステム。
（項目５８５）
前記ピッチ線は、疎らである、項目５８１に記載のシステム。
（項目５８６）
前記ピッチ線は、高密度である、項目５８１に記載のシステム。
（項目５８７）
仮想コンテンツをユーザに表示する方法であって、
前記ユーザが外界を前記視認光学を通して視認することを可能にする、光学透視視認光学を使用して、前記ユーザに提示されるべき画像データの１つまたはそれを上回るフレームと関連付けられた光を投影するステップと、
外界からの一部の光が、前記視認光学を通して通過し、前記ユーザの眼に到達するように、前記ユーザの眼への途中で前記視認光学を通して通過するであろう、外界からの光の少なくとも一部を選択的に減衰させるステップと、
を含む、方法。
（項目５８８）
光ビームは、少なくとも部分的に、前記光ビームの入射角度に基づいて、選択的に減衰される、項目５８７に記載の方法。
（項目５８９）
前記フレームの異なる部分は、異なる量まで減衰される、項目５８７に記載の方法。
（項目５９０）
前記減衰された光ビームの焦点レベルは、変動される、項目５８７に記載の方法。
（項目５９１）
仮想コンテンツをユーザに表示するためのシステムであって、
画像データの１つまたはそれを上回るフレームを提供するための画像発生源と、
前記スタックが、前記画像データの１つまたはそれを上回るフレームと関連付けられた光を前記ユーザに送達するように位置付けられる、２つまたはそれを上回る空間光変調器（ＳＬＭ）のスタックであって、外部環境からの光を空間的に減衰させる、ＳＬＭと、
光ビームが前記ＳＬＭの１つまたはそれを上回るセルを通して通過する角度が変調されるような様式で、前記ＳＬＭのスタックを制御するためのプロセッサと、
を備える、システム
（項目５９２）
ディスプレイ光学の集合をさらに備え、前記ディスプレイ光学の集合は、前記ユーザの眼と前記外部環境との間に位置付けられる、項目５９１に記載のシステム。
（項目５９３）
前記ＳＬＭのスタックのＳＬＭは、コレステリックＬＣＤである、項目５９１に記載のシステム。
（項目５９４）
前記ＳＬＭのうちの少なくとも１つは、コレステリックＬＣＤである、項目５９１に記載のシステム。
（項目５９５）
前記ＳＬＭのスタックは、前記ユーザが外界を前記ＳＬＭのスタックを通して視認するように位置付けられ、前記ＳＬＭは、少なくとも半透明である、項目５９１に記載のシステム。
（項目５９６）
前記空間光変調器アレイは、いくつかの液晶アレイ、デジタル光処理システムのいくつかのデジタル鏡デバイス要素、いくつかの微小電気機械システム（ＭＥＭＳ）アレイ、またはいくつかのＭＥＭＳシャッタのうちの少なくとも１つを備える、項目５９１に記載のシステム。
（項目５９７）
少なくとも１つの光学構成要素を備えるオクルーダをさらに備え、前記プロセッサは、前記オクルーダの少なくとも１つの光学構成要素を制御し、暗仮想オブジェクトの暗視野表現を生成する、項目５９１に記載のシステム。
（項目５９８）
仮想コンテンツを表示するためのシステムであって、
空間光変調器のアレイであって、空間光変調器のアレイは、光パターンを発生させるように構成され、少なくとも２つの変調器を備える、空間光変調器のアレイと、
前記少なくとも２つの空間変調器がモアレパターンを形成するような様式で前記空間変調器のアレイを制御するためのプロセッサであって、前記モアレパターンは、前記少なくとも２つの空間光変調器上に形成される光パターンの周期と異なる周期で光を減衰させる、周期的空間パターンである、プロセッサと、
を備える、システム
（項目５９９）
前記空間光変調器アレイは、相互に光学的に結合され、モアレ効果を介して光の通過を制御する、少なくとも２つの空間光変調器アレイを備える、項目５９８に記載のシステム。
（項目６００）
前記少なくとも２つの空間光変調器アレイはそれぞれ、個別の減衰パターンを持つ、項目５９９に記載のシステム。
（項目６０１）
前記少なくとも２つの空間光変調器アレイはそれぞれ、その上またはその中に印刷、エッチング、または別様に刻設される個別の微細ピッチ正弦波パターンを持つ、項目５９８に記載のシステム。
（項目６０２）
前記少なくとも２つの空間光変調器アレイは、相互に位置合わせされる、項目５９９に記載のシステム。
（項目６０３）
前記少なくとも２つの空間光変調器アレイはそれぞれ、個別の減衰パターンを持つ、項目５９９に記載のシステム。
（項目６０４）
仮想コンテンツをユーザに表示するためのシステムであって、
画像データの１つまたはそれを上回るフレームと関連付けられた光を提供するための光発生源であって、空間光変調器である、光発生源と、
前記ピンホールアレイのピンホールが前記空間光変調器の複数のセルから光を受光するように、前記空間光変調器に対する様式で位置付けられる、ピンホールアレイであって、前記ピンホールを通して通過する第１の光ビームは、前記ピンホールを通して通過する第２の光ビームと異なる角度に対応し、空間光変調器のセルは、光を選択的に減衰させる、ピンホールアレイと、
を備える、システム。
（項目６０５）
外部環境は、前記ピンホールアレイおよび前記ＳＬＭを通して視認され、光ビームは、少なくとも部分的に、前記光ビームの入射角度に基づいて、選択的に減衰される、項目６０４に記載のシステム。
（項目６０６）
視野の異なる部分からの光は、選択的に減衰される、項目６０４に記載のシステム。
（項目６０７）
それを通る光の伝送を減衰させるように選択的に動作可能である選択減衰層であって、前記ピンホール層と光学的に直列である、選択減衰層をさらに備える、項目６０４に記載のシステム。
（項目６０８）
前記選択減衰層は、個別の減衰パターンを持つ、液晶アレイ、デジタル光プロジェクタシステム、または空間光変調器アレイを備える、項目６０７に記載のシステム。
（項目６０９）
前記ピンホールアレイは、前記ユーザの眼の角膜から約３０ｍｍの距離に設置され、前記選択減衰パネルは、前記眼から見て前記ピンホールアレイと反対に位置する、項目６０４に記載のシステム。
（項目６１０）
前記ピンホールアレイは、複数のピンホールを備え、前記プロセッサは、光が、光ビームが前記複数のピンホールを通して通過する角度の関数として減衰されるような様式で、前記ＳＬＭを制御し、それによって、凝集明視野を生成する、項目６０４に記載のシステム。
（項目６１１）
前記凝集明視野は、所望の焦点距離で遮閉を生じさせる、項目６１０に記載のシステム。
（項目６１２）
システムであって、
画像データの１つまたはそれを上回るフレームと関連付けられた光を提供するための光発生源であって、空間光変調器である、光発生源と、
前記レンズアレイのレンズが前記空間光変調器の複数のセルから光を受光するように、前記空間光変調器に対する様式で位置付けられる、レンズアレイであって、前記レンズで受光された第１の光ビームは、前記レンズで受光された第２の光ビームと異なる角度に対応し、空間光変調器のセルは、光を選択的に減衰させる、レンズアレイと、
を備える、システム。
（項目６１３）
外部環境は、前記レンズアレイおよび前記ＳＬＭを通して視認され、光ビームは、少なくとも部分的に、前記光ビームの入射角度に基づいて、選択的に減衰される、項目６１２に記載のシステム。
（項目６１４）
視野の異なる部分からの光は、選択的に減衰される、項目６１２に記載のシステム。
（項目６１５）
前記レンズアレイは、複数のレンズを備え、前記プロセッサは、光が、光ビームが前記複数のレンズで受光される角度の関数として減衰されるような様式で、前記ＳＬＭを制御し、それによって、凝集明視野を生成する、項目６１２に記載のシステム。
（項目６１６）
前記凝集明視野は、所望の焦点距離で遮閉を生じさせる、項目６１５に記載のシステム。
（項目６１７）
仮想コンテンツをユーザに表示するためのシステムであって、
画像データの１つまたはそれを上回るフレームと関連付けられた光を投影するための光プロジェクタと、
前記光を受光し、前記光の偏光を回転させるための少なくとも１つの偏光感受層と、
前記偏光感受層の偏光を変調させるための偏光変調器のアレイであって、前記アレイ内のセルの状態は、前記偏光感受層を通して通過する光の量を判定する、偏光変調器のアレイと、
を備える、システム。
（項目６１８）
前記システムは、眼近接構成で設置される、項目６１７に記載のシステム。
（項目６１９）
前記偏光変調器は、液晶アレイである、項目６１７に記載のシステム。
（項目６２０）
異なる射出瞳が前記偏光子を通して異なる経路を有するように、前記偏光子をオフセットするための視差障壁をさらに備える、項目６１７に記載のシステム。
（項目６２１）
前記偏光子は、ｘｐｏｌ偏光子である、項目６２０に記載のシステム。
（項目６２２）
前記偏光子は、ｍｕｌｔｉＰｏｌ偏光子である、項目６２０に記載のシステム。
（項目６２３）
前記偏光子は、パターン化された偏光子である、項目６２０に記載のシステム。
（項目６２４）
前記光は、１つまたはそれを上回るＭＥＭアレイと相互作用する、項目６１７に記載のシステム。
（項目６２５）
光を投影するためのＳＬＭをさらに備え、前記ＳＬＭは、１つまたはそれを上回る光学要素間に位置付けられ、前記光学要素は、ゼロ倍率望遠鏡に対応する、項目６１８に記載のシステム。
（項目６２６）
前記ユーザは、前記ゼロ倍率望遠鏡を通して外部環境を視認する、項目６２５に記載のシステム。
（項目６２７）
少なくとも１つのＳＬＭは、前記ゼロ倍率望遠鏡内の画像平面に位置付けられる、項目６２５に記載のシステム。
（項目６２８）
ＤＭＤをさらに備え、前記ＤＭＤは、透明基板に対応する、項目６１７に記載のシステム。
（項目６２９）
少なくとも１つの光学構成要素を備えるオクルーダをさらに備え、前記プロセッサは、前記オクルーダの少なくとも１つの光学構成要素を制御し、暗仮想オブジェクトの暗視野表現を生成する、項目６２８に記載のシステム。
（項目６３０）
１つまたはそれを上回るＬＣＤをさらに備え、前記１つまたはそれを上回るＬＣＤは、光ビームを選択的に減衰させる、項目６２８に記載のシステム。
（項目６３１）
１つまたはそれを上回るＬＣＤをさらに備え、前記１つまたはそれを上回るＬＣＤは、偏光回転子としての役割を果たす、項目６１７に記載のシステム。
（項目６３２）
前記オクルーダは、ルーバＭＥＭデバイスである、項目６２９に記載のシステム。
（項目６３３）
前記ルーバＭＥＭデバイスは、不透明であって、前記ルーバＭＥＭデバイスは、入射角度をピクセル毎ベースで変化させる、項目６３２に記載のシステム。
（項目６３４）
前記オクルーダは、スライド式パネルＭＥＭデバイスであって、前記スライド式パネルＭＥＭデバイスは、前後に摺動し、遮閉の領域を修正する、項目６３２に記載のシステム。
（項目６３５）
仮想コンテンツを表示するための方法であって、
画像データの１つまたはそれを上回るフレームと関連付けられた光を投影するステップと、
前記投影された光を受光する基板において、偏光感受層を通して光の偏光を回転させるステップと、
光の偏光を変調させ、前記偏光層を通して通過する光を選択的に減衰させるステップと、
を含む、方法。
（項目６３６）
前記偏光変調器は、液晶アレイである、項目６３５に記載の方法。
（項目６３７）
異なる射出瞳が前記偏光子を通して異なる経路を有するように、前記偏光子をオフセットするための視差障壁をさらに含む、項目６３５に記載の方法。
（項目６３８）
前記偏光子は、ｘｐｏｌ偏光子である、項目６３７に記載の方法。
（項目６３９）
前記偏光子は、ｍｕｌｔｉＰｏｌ偏光子である、項目６３７に記載の方法。
（項目６４０）
前記偏光子は、パターン化された偏光子である、項目６３７に記載の方法。
（項目６４１）
前記光は、１つまたはそれを上回るＭＥＭアレイと相互作用する、項目６１７に記載の方法。
（項目６４２）
光を投影するためのＳＬＭをさらに含み、前記ＳＬＭは、１つまたはそれを上回る光学要素間に位置付けられ、前記光学要素は、ゼロ倍率望遠鏡に対応する、項目６３６に記載の方法。
（項目６４３）
前記ユーザは、前記ゼロ倍率望遠鏡を通して外部環境を視認する、項目６４２に記載の方法。
（項目６４４）
少なくとも１つのＳＬＭは、前記ゼロ倍率望遠鏡内の画像平面に位置付けられる、項目６４２に記載の方法。
（項目６４５）
ＤＭＤをさらに含み、前記ＤＭＤは、透明基板に対応する、項目６３５に記載の方法。
（項目６４６）
少なくとも１つの光学構成要素を備えるオクルーダをさらに含み、前記プロセッサは、前記オクルーダの少なくとも１つの光学構成要素を制御し、暗仮想オブジェクトの暗視野表現を生成する、項目６３５に記載の方法。
（項目６４７）
１つまたはそれを上回るＬＣＤをさらに含み、前記１つまたはそれを上回るＬＣＤは、光ビームを選択的に減衰させる、項目６３５に記載の方法。
（項目６４８）
１つまたはそれを上回るＬＣＤをさらに備え、前記１つまたはそれを上回るＬＣＤは、偏光回転子としての役割を果たす、項目６３５に記載の方法。
（項目６４９）
前記オクルーダは、ルーバＭＥＭデバイスである、項目６４６に記載の方法。
（項目６５０）
前記ルーバＭＥＭデバイスは、不透明であって、前記ルーバＭＥＭデバイスは、入射角度をピクセル毎ベースで変化させる、項目６４９に記載の方法。
（項目６５１）
前記オクルーダは、スライド式パネルＭＥＭデバイスであって、前記スライド式パネルＭＥＭデバイスは、前後に摺動し、遮閉の領域を修正する、項目６４６に記載の方法。
（項目６５２）
仮想コンテンツを表示するためのシステムであって、
画像データの１つまたはそれを上回るフレームと関連付けられた光を提供するための光発生源であって、空間光変調器である、光発生源と、
微小電気機械（ＭＥＭ）ルーバのアレイであって、前記ＭＥＭルーバは、実質的に透明の基板内に格納され、前記ＭＥＭルーバは、光がピクセルに送達される角度を変化させるように構成可能であって、前記ユーザに送達される第１のピクセルの角度は、前記ユーザに送達される第２のピクセルと異なる、ＭＥＭルーバと、
を備える、システム。
（項目６５３）
前記少なくとも１つの光学構成要素は、微小電気機械システム（ＭＥＭＳ）ルーバの第１のアレイを備える、項目６５２に記載のシステム。
（項目６５４）
前記ＭＥＭＳルーバのアレイは、光学的に透明な基板によって担持される複数の実質的に不透明のルーバを備える、項目６５２に記載のシステム。
（項目６５５）
微小電気機械システム（ＭＥＭＳ）ルーバのアレイは、光をピクセル毎ベースで選択的に遮閉するために十分に微細なルーバピッチを有する、項目６５２に記載のシステム。
（項目６５６）
前記オクルーダの少なくとも１つの光学構成要素は、ＭＥＭＳルーバの第２のアレイをさらに備え、前記ＭＥＭＳルーバの第２のアレイは、前記ＭＥＭＳルーバの第１のアレイとスタック構成にある、項目６５２に記載のシステム。
（項目６５７）
前記ＭＥＭＳルーバのアレイは、光学的に透明な基板によって担持される複数の偏光ルーバを備え、前記ルーバのそれぞれの個別の偏光状態は、選択的に制御可能である、項目６５２に記載のシステム。
（項目６５８）
前記ＭＥＭＳパネルの第１および第２のアレイのルーバは、偏光子である、項目６５２に記載のシステム。
（項目６５９）
前記オクルーダの少なくとも１つの光学構成要素は、フレーム内の移動のために搭載される微小電気機械システム（ＭＥＭＳ）パネルの第１のアレイを備える、項目６５２に記載のシステム。
（項目６６０）
前記ＭＥＭＳパネルの第１のアレイのパネルは、前記フレーム内の移動のために摺動可能に搭載される、項目６２５に記載のシステム。
（項目６６１）
前記ＭＥＭＳパネルの第１のアレイのパネルは、前記フレーム内の移動のために枢動可能に搭載される、項目６５２に記載のシステム。
（項目６６２）
前記ＭＥＭＳパネルの第１のアレイのパネルは、前記フレーム内の移動のために平行移動可能かつ枢動可能に搭載される、項目６５２に記載のシステム。
（項目６６３）
前記パネルは、モアレパターンを生成するように可動である、項目６５２に記載のシステム。
（項目６６４）
前記オクルーダの少なくとも１つの光学構成要素はさらに、フレーム内の移動のために搭載されるＭＥＭＳパネルの第２のアレイを備え、前記第２のアレイは、前記第１のアレイとスタック構成にある、項目６５２に記載のシステム。
（項目６６５）
前記ＭＥＭＳパネルの第１および第２のアレイのパネルは、偏光子である、項目６５２に記載のシステム。
（項目６６６）
前記オクルーダの少なくとも１つの光学構成要素は、反射体アレイを備える、項目６５２に記載のシステム。
（項目６６７）
システムであって、
外部環境からの光を受光し、前記光を１つまたはそれを上回る空間光変調器に指向するための少なくとも１つの導波管を備え、前記１つまたはそれを上回る空間光変調器は、前記ユーザの視野の異なる部分で受光された光を選択的に減衰させる、システム。
（項目６６８）
前記少なくとも１つの導波管は、第１および第２の導波管を備え、前記第２の導波管は、前記ＳＬＭから出射する光を前記ユーザの眼に送達するように構成される、項目６６７に記載のシステム。
（項目６６９）
方法であって、
外部環境からの光を受光するステップと、
前記光を選択減衰器に指向するステップと、
前記選択減衰器を通して、前記ユーザの視野の異なる部分で受光された光を選択的に減衰させるステップと、
を含む、方法。
（項目６７０）
前記少なくとも１つの導波管は、第１および第２の導波管を備え、前記第２の導波管は、前記ＳＬＭから出射する光を前記ユーザの眼に送達するように構成される、項目６６９に記載の方法。
（項目６７１）
前記選択減衰器は、ＤＭＤである、項目６６９に記載の方法。
（項目６７２）
前記空間光変調器は、ＤＭＤアレイである、項目６６９に記載の方法。
（項目６７３）
光は、１つまたはそれを上回る導波管を通して前記１つまたはそれを上回る空間光変調器に指向される、項目６６９に記載の方法。
（項目６７４）
光を前記導波管に戻るように再結合し、光を前記ユーザの眼に向かって部分的に出射させるステップをさらに含む、項目６７３に記載の方法。
（項目６７５）
前記導波管は、前記選択減衰器に実質的に垂直に配向される、項目６７３に記載の方法。
（項目６７６）
仮想コンテンツをユーザに表示するためのシステムであって、
画像データの１つまたはそれを上回るフレームと関連付けられた光を提供するための光発生源であって、複数のマイクロプロジェクタを備える、光発生源と、
光を前記複数のマイクロプロジェクタから受光し、光をユーザの眼に伝送するように構成される、導波管と、
を備える、システム。
（項目６７７）
前記マイクロプロジェクタは、線形アレイ内に設置される、項目６７６に記載のシステム。
（項目６７８）
前記マイクロプロジェクタは、前記導波管の１つの縁内に設置される、項目６７６に記載のシステム。
（項目６７９）
前記マイクロプロジェクタは、前記導波管の複数の縁内に設置される、項目６７６に記載のシステム。
（項目６８０）
前記マイクロプロジェクタは、２次元アレイ内に設置される、項目６７６に記載のシステム。
（項目６８１）
前記マイクロプロジェクタは、３次元アレイ内に設置される、項目６７６に記載のシステム。
（項目６８２）
前記マイクロプロジェクタは、前記基板の複数の縁に設置される、項目６８１に記載のシステム。
（項目６８３）
前記マイクロプロジェクタは、複数の角度に設置される、項目６８１に記載のシステム。
（項目６８４）
仮想コンテンツを表示するためのシステムであって、
画像データの１つまたはそれを上回るフレームを提供するための画像発生源であって、前記画像データは、ユーザに提示されるべき１つまたはそれを上回る仮想オブジェクトを備える、画像発生源と、
後光が前記１つまたはそれを上回る仮想オブジェクトの周囲で前記ユーザによって知覚されるような様式で前記１つまたはそれを上回る仮想オブジェクトをレンダリングするためのレンダリングエンジンと、
を備える、システム。
（項目６８５）
光減衰器をさらに備え、前記光減衰器は、前記ユーザの視野を横断して、前記後光の光強度を平衡化させる、項目６８４に記載のシステム。
（項目６８６）
仮想コンテンツを表示するための方法であって、
画像データの１つまたはそれを上回るフレームを提供するステップであって、前記画像データは、ユーザに提示されるべき１つまたはそれを上回る仮想オブジェクトを備える、ステップと、
後光が前記１つまたはそれを上回る仮想オブジェクトの周囲で前記ユーザによって知覚されるような様式で前記１つまたはそれを上回る仮想オブジェクトをレンダリングし、それによって、前記ユーザが、前記仮想オブジェクトを視認することを容易にし、前記仮想オブジェクトは、暗仮想オブジェクトである、ステップと、
を含む、方法。
（項目６８７）
外部環境から受光する光を光減衰器を通して選択的に減衰させるステップをさらに含み、前記光減衰器は、前記ユーザの視野を横断して、前記後光の光強度を平衡化させる、項目６８６に記載の方法。
（項目６８８）
仮想コンテンツを表示するためのシステムであって、
実環境のビューを捕捉するためのカメラシステムと、
前記実環境のビューにわたって重畳される１つまたはそれを上回る仮想オブジェクトを表示する、光学透視システムであって、前記捕捉されたビューは、前記ユーザに提示される１つまたはそれを上回る仮想オブジェクトをレンダリングするために使用される、光学透視システムと、
暗仮想オブジェクトが前記１つまたはそれを上回る実オブジェクトと対照的に可視となるように、少なくとも、１つまたはそれを上回る実オブジェクトと前記１つまたはそれを上回る仮想オブジェクトとの間の相関に基づいて、前記実環境のビューの光強度を変調させるための光強度モジュールと、
を備える、システム。
（項目６８９）
前記捕捉されたビューは、後光を１つまたはそれを上回る仮想オブジェクトの周囲に発生させるために使用され、前記後光は、空間を横断して徐々に薄れる、項目６８８に記載のシステム。
（項目６９０）
光減衰器をさらに備え、前記光減衰器は、前記ユーザの視野を横断して、前記後光の光強度を平衡化させる、項目６８８に記載のシステム。
（項目６９１）
拡張現実ディスプレイシステムを駆動させる方法であって、
第１の仮想オブジェクトをユーザの視野上の場所にレンダリングするステップと、
前記第１の仮想オブジェクトのレンダリングと実質的に並行して、前記ユーザの視野内に視覚的強調を前記レンダリングされた第１の仮想オブジェクトに少なくとも空間的に近接してレンダリングするステップと、
を含む、方法。
（項目６９２）
視覚的強調をレンダリングするステップは、強度勾配を用いて前記視覚的強調をレンダリングするステップを含む、項目６９１に記載の方法。
（項目６９３）
視覚的強調をレンダリングするステップは、前記視覚的強調の周縁に近接してぼかしを用いて前記視覚的強調をレンダリングするステップを含む、項目６９１に記載の方法。
（項目６９４）
前記レンダリングされた第１の仮想オブジェクトに少なくとも空間的に近接して視覚的強調をレンダリングするステップは、前記レンダリングされた第１の仮想オブジェクトに空間的に近接して後光視覚効果をレンダリングするステップを含む、項目６９１に記載の方法。
（項目６９５）
前記レンダリングされた第１の仮想オブジェクトに空間的に近接して後光視覚効果をレンダリングするステップは、前記後光視覚効果を前記レンダリングされた第１の仮想オブジェクトより明るくレンダリングするステップを含む、項目６９４に記載の方法。
（項目６９６）
前記後光視覚効果を前記レンダリングされた第１の仮想オブジェクトより明るくレンダリングするステップは、前記レンダリングされた第１の仮想オブジェクトが暗度の閾値より暗いという判定に応答する、項目６９４に記載の方法。
（項目６９７）
後光視覚効果をレンダリングするステップは、知覚される３次元空間内の前記レンダリングされた第１の仮想オブジェクトと別個の焦点面において、前記後光視覚効果をレンダリングするステップを含む、項目６９４に記載の方法。
（項目６９８）
後光視覚効果をレンダリングするステップは、強度勾配を用いて前記後光視覚効果をレンダリングするステップを含む、項目６９４に記載の方法。
（項目６９９）
後光視覚効果をレンダリングするステップは、前記第１の仮想オブジェクトのレンダリングに適用される遮閉から生じる暗後光に一致し、前記遮閉の暗視野効果を補償する、強度勾配を用いて前記後光視覚効果をレンダリングするステップを含む、項目６９４に記載の方法。
（項目７００）
後光視覚効果をレンダリングするステップは、前記後光視覚効果の周縁に近接してぼかしを用いて前記後光視覚効果をレンダリングするステップを含む、項目６９４に記載の方法。
（項目７０１）
前記レンダリングされた第１の視覚的オブジェクトは、非円形周縁を有し、前記レンダリングされた後光視覚効果は、前記非円形周縁に合致する、項目６９１に記載の方法。
（項目７０２）
前記レンダリングされた第１の仮想オブジェクトに少なくとも空間的に近接して視覚的強調をレンダリングするステップは、知覚される３次元空間内の前記レンダリングされた第１の仮想オブジェクトと別個の焦点面において、前記視覚効果をレンダリングするステップを含む、項目６９１に記載の方法。
（項目７０３）
知覚される３次元空間内の前記レンダリングされた第１の仮想オブジェクトと別個の焦点面において、前記視覚効果をレンダリングするステップは、前記レンダリングされた第１の仮想オブジェクトがレンダリングされた焦点面に対して、前記ユーザから比較的に離間された焦点面において、前記視覚効果をレンダリングするステップを含む、項目６９１に記載の方法。
（項目７０４）
仮想コンテンツを表示するためのシステムであって、
ユーザに提示されるべき画像データの１つまたはそれを上回るフレームを提供するための画像発生源であって、前記画像データの１つまたはそれを上回るフレームは、少なくとも１つの黒色仮想オブジェクトを備える、画像発生源と、
前記画像データの１つまたはそれを上回るフレームをレンダリングするためのレンダリングエンジンであって、前記黒色仮想オブジェクトが前記ユーザに可視となるように、前記黒色仮想オブジェクトを青色仮想オブジェクトとしてレンダリングする、レンダリングエンジンと、
を備える、方法。
（項目７０５）
第１の仮想オブジェクトをユーザの視野上の場所にレンダリングするステップは、最初に、前記第１の仮想オブジェクトの任意の黒色調を濃青色に変化させるステップを含む、項目７０４に記載のシステム。
（項目７０６）
仮想コンテンツの表示のための光ビームを伝送するためのシステムであって、
少なくとも１つの導波管であって、前記少なくとも１つの導波管の長さを横断して、第１の端部と、前記第１の端部から離間される第２の端部とを有し、その長さに沿って、前記個別の導波管に定義された角度で入射する光は、全内部反射を介して伝搬する、少なくとも１つの導波管と、
少なくとも、前記少なくとも１つの導波管の第１の端部に近接して位置付けられ、光を前記少なくとも１つの導波管の前記第１の端部に戻るように光学的に反射結合するための少なくとも１つの縁反射体と、
少なくとも、前記少なくとも１つの導波管の第２の端部に近接して位置付けられ、光を前記少なくとも１つの導波管の前記第２の端部に戻るように光学的に反射結合するための少なくとも１つの縁反射体と、
を備える、システム。
（項目７０７）
前記少なくとも１つの導波管は、前記光の少なくとも一部を前記導波管から横方向外向きに再指向する、いくつかの横方向反射および／または回折表面を前記導波管の内部に有する、項目７０６に記載のシステム。
（項目７０８）
前記横方向反射および／または回折表面は、低回折効率回折光学要素（ＤＯＥ）である、項目７０６に記載のシステム。
（項目７０９）
少なくとも、前記少なくとも１つの導波管の第１の端部に近接して位置付けられる、少なくとも１つの縁反射体は、少なくとも、前記少なくとも１つの導波管の第１の端部に近接して位置付けられる、複数の反射体を備える、項目７０６に記載のシステム。
（項目７１０）
少なくとも、前記少なくとも１つの導波管の第２の端部に近接して位置付けられる、少なくとも１つの縁反射体は、少なくとも、前記少なくとも１つの導波管の第２の端部に近接して位置付けられる、複数の反射体を備える、項目７０６に記載のシステム。
（項目７１１）
少なくとも１つの導波管は、単一導波管である、項目７０６に記載のシステム。
（項目７１２）
仮想コンテンツの表示のための光ビームを伝送するためのシステムであって、
複数の平面導波管を備える、導波管アセンブリであって、前記平面導波管はそれぞれ、それぞれ、前記平面導波管の厚さを横断して相互に対向する少なくとも２つの平坦平行主要面と、第１の端部と、その長さに沿って、前記個別の導波管に定義された角度で入射する光が、全内部反射を介して伝搬する、前記導波管の長さを横断して前記第１の端部に対向する、第２の端部と、前記導波管の幅を横断して相互に対向する、２つの平坦主要縁とを有し、前記複数の平面導波管は、前記平面導波管の厚さ方向と平衡な第１の軸に沿って、かつ前記平面導波管の幅と平行な第２の軸に沿って、スタックされた構成にあって、平面導波管の３次元アレイを形成する、導波管アセンブリと、
を備える、システム。
（項目７１３）
前記第１の軸の方向に、少なくとも３つの平面導波管がスタックされる、項目７１２に記載のシステム。
（項目７１４）
前記第２の軸の方向に、少なくとも３つの平面導波管がスタックされる、項目７１３に記載のシステム。
（項目７１５）
前記第２の軸の方向に、少なくとも３つの平面導波管がスタックされる、項目７１３に記載のシステム。
（項目７１６）
前記第１の軸に沿った前記スタック内の連続平面導波管は、相互に直接隣接し、前記第２の軸に沿った前記スタック内の連続平面導波管は、相互に直接隣接する、項目７１２に記載のシステム。
（項目７１７）
前記導波管アセンブリはさらに、前記平面導波管のうちの少なくとも１つの少なくとも１つの表面上に担持される複数の反射層を備える、項目７１２に記載のシステム。
（項目７１８）
前記反射層は、完全反射金属コーティングを含む、項目７１７に記載のシステム。
（項目７１９）
前記反射層は、波長特有反射体を含む、項目７１７に記載のシステム。
（項目７２０）
前記反射層は、前記第１または前記第２の軸のうちの少なくとも１つに沿って、各連続対の前記平面導波管内の平面導波管を分離させる、項目７１７に記載のシステム。
（項目７２１）
前記反射層は、前記第１および第２の軸の両方に沿って、各連続対の前記平面導波管内の平面導波管を分離させる、項目７１７に記載のシステム。
（項目７２２）
いくつかの前記平面導波管はそれぞれ、それぞれ、前記個別の平面導波管によって受光された光の少なくとも一部を前記平面導波管から横方向外向きに再指向する、いくつかの横方向反射および／または回折表面を含む、項目７１２に記載のシステム。
（項目７２３）
前記横方向反射および／または回折表面は、前記個別の平面導波管の主要面間の個別の平面導波管内に狭入された回折光学要素を備える、項目７１２に記載のシステム。
（項目７２４）
前記回折光学要素は、焦点距離を変動させるように選択的に動作可能である、項目７１３に記載のシステム。
（項目７２５）
前記第１の軸は、湾曲軸であって、前記導波管アセンブリ内の少なくとも１つの集合内の平面導波管のそれぞれの主要縁のうちの少なくとも１つは、単一線上に合焦するように配向され、前記単一線は、前記平面導波管の長さに平行である、項目７１３に記載のシステム。
（項目７２６）
仮想コンテンツをユーザに表示するためのシステムであって、
画像データの１つまたはそれを上回るフレームと関連付けられた光を投影するための光プロジェクタであって、ファイバ走査ディスプレイである、光プロジェクタと、
光をユーザの眼に可変偏向させるための導波管アセンブリであって、前記眼に向かって凹面湾曲される、導波管と、
を備える、システム。
（項目７２７）
前記湾曲導波管は、視野を拡大させる、項目７２６に記載のシステム。
（項目７２８）
前記湾曲導波管は、光を前記ユーザの眼に効率的に指向する、項目７２６に記載のシステム。
（項目７２９）
前記湾曲導波管は、時変グレーティングを備え、それによって、前記ファイバ走査ディスプレイのための光を走査するための軸を作成する、項目７２６に記載のシステム。
（項目７３０）
仮想コンテンツをユーザに表示するためのシステムであって、
光を受光するための入口と、入口に対して角度付けられ、入口で受光された光の少なくとも一部を透過性ビームスプリッタ基板から横方向外向きにユーザの眼に向かって再指向するためのいくつかの内部反射または回折表面とを有する、透過性ビームスプリッタ基板であって、前記いくつかの内部反射または回折表面は、前記透過性ビームスプリッタ基板の縦軸に沿って離間される複数の横方向反射および／または回折表面を含み、前記横方向反射および／または回折表面はそれぞれ、前記入口で受光された光の少なくとも一部を前記透過性ビームスプリッタ基板から横方向に外向きに光学経路に沿って前記ユーザの眼に向かって再指向するように、前記入射に対して角度付けられる、または角度付け可能である、透過性ビームスプリッタ基板と、
光を前記透過性ビームスプリッタに伝送するための光発生システムと、
前記ディスプレイシステムに通信可能に結合され、画像情報を前記ディスプレイシステムに提供する、ローカルコントローラであって、前記ローカルコントローラは、少なくとも１つのプロセッサと、前記少なくとも１つのプロセッサに通信可能に結合される少なくとも１つの非一過性プロセッサ可読媒体とを備え、前記少なくとも１つの非一過性プロセッサ可読媒体は、前記少なくとも１つのプロセッサによって実行されると、前記少なくとも１つのプロセッサに、データの処理、キャッシュ、および記憶のうちの少なくとも１つを行わせ、前記画像情報を前記ディスプレイに提供し、仮想または拡張現実視覚体験のうちの少なくとも１つを前記ユーザに生成する、少なくとも１つのプロセッサ実行可能命令またはデータを記憶する、ローカルコントローラと、
を備える、システム。
（項目７３１）
前記横方向反射および／または回折表面は、少なくとも１つの回折光学要素（ＤＯＥ）を備え、前記ビームスプリッタにいくつかの定義された角度で入射する、コリメートされたビームは、その長さに沿って全内部反射され、１つまたはそれを上回る場所において、前記ＤＯＥに交差する、項目７３０に記載のシステム。
（項目７３２）
少なくとも１つの回折光学要素（ＤＯＥ）は、第１のグレーティングを備える、項目７３０に記載のシステム。
（項目７３３）
前記第１のグレーティングは、第１のブラッググレーティングである、項目７３０に記載のシステム。
（項目７３４）
前記ＤＯＥは、第２のグレーティングを備え、前記第１のグレーティングは、第１の平面上にあって、前記第２のグレーティングは、第２の平面上にあって、前記第１および第２のグレーティングが交差し、モアレビートパターンを生成するように、前記第２の平面は、前記第１の平面から離間される、項目７３０に記載のシステム。
（項目７３５）
前記第１のグレーティングは、第１のピッチを有し、前記第２のグレーティングは、第２のピッチを有し、前記第１のピッチは、前記第２のピッチと同一である、項目７３４に記載のシステム。
（項目７３６）
前記第１のグレーティングは、第１のピッチを有し、前記第２のグレーティングは、第２のピッチを有し、前記第１のピッチは、前記第２のピッチと異なる、項目７３４に記載のシステム。
（項目７３７）
前記第１のグレーティングピッチは、前記第１のグレーティングピッチを経時的に変化させるように制御可能である、項目７３４に記載のシステム。
（項目７３８）
前記第１のグレーティングは、弾性材料を含み、機械的変形を受ける、項目７３７に記載のシステム。
（項目７３９）
前記第１のグレーティングは、機械的変形を受ける、弾性材料によって担持される、項目７３８に記載のシステム。
（項目７４０）
前記第１のグレーティングピッチは、前記第１のグレーティングピッチを経時的に変化させるように制御可能である、項目７３４に記載のシステム。
（項目７４１）
前記第２のグレーティングピッチは、前記第２のグレーティングピッチを経時的に変化させるように制御可能である、項目７３４に記載のシステム。
（項目７４２）
前記第１のグレーティングは、電気活性グレーティングであって、少なくとも１つのオン状態およびオフ状態を有する、項目４７３４に記載のシステム。
（項目７４３）
前記第１のグレーティングは、高分子分散型液晶を備え、前記高分子分散型液晶の複数の液晶液滴は、前記第１のグレーティングの屈折率を変化させるように制御可能に活性化される、項目７３４に記載のシステム。
（項目７４４）
前記第１のグレーティングは、時変グレーティングであって、前記第１のグレーティングは、時変グレーティングであって、前記ローカルコントローラは、前記ディスプレイの視野を拡大させるように少なくとも前記第１のグレーティングを制御する、項目７３８に記載のシステム。
（項目７４５）
前記第１のグレーティングは、時変グレーティングであって、前記ローカルコントローラは、少なくとも前記第１のグレーティングの時変制御を採用し、色収差を補正する、項目７３８に記載のシステム。
（項目７４６）
前記ローカルコントローラは、少なくとも前記第１のグレーティングを駆動させ、画像のピクセルの赤色下位ピクセルの場所を前記画像の対応するピクセルの青色または緑色下位ピクセルのうちの少なくとも１つに対して変動させる、項目７４５に記載のシステム。
（項目７４７）
前記ローカルコントローラは、少なくとも前記第１のグレーティングを駆動させ、出射パターンを側方に偏移させ、アウトバウンド画像パターン内の間隙を充填する、項目７４６に記載のシステム。
（項目７４８）
少なくとも１つのＤＯＥ要素は、第１の円形対称項を有する、項目７３２に記載のシステム。
（項目７４９）
少なくとも１つのＤＯＥ要素は、第１の線形項を有し、前記第１の線形項は、前記第１の円形対称項と合計される、項目７３２に記載のシステム。
（項目７５０）
前記円形対称項は、制御可能である、項目７４９に記載のシステム。
（項目７５１）
少なくとも１つのＤＯＥ要素は、第２の第１円形対称項を有する、項目７３０に記載のシステム。
（項目７５２）
前記少なくとも１つの回折光学（ＤＯＥ）要素は、第１のＤＯＥを備える、項目７３０に記載のシステム。
（項目７５３）
前記第１のＤＯＥは、円形ＤＯＥである、項目７５２に記載のシステム。
（項目７５４）
前記円形ＤＯＥは、時変ＤＯＥである、項目７５３に記載のシステム。
（項目７５５）
前記円形ＤＯＥは、焦点変調のために、導波管に対して層化される、項目７５３に記載のシステム。
（項目７５６）
前記円形ＤＯＥの回折パターンは、静的である、項目７５３に記載のシステム。
（項目７５７）
前記円形ＤＯＥの回折パターンは、動的である、項目７５３に記載のシステム。
（項目７５８）
付加的円形ＤＯＥを備え、前記付加的円形ＤＯＥは、多くの焦点レベルが少数の切替可能ＤＯＥを通して達成されるように、前記円形ＤＯＥに対して位置付けられる、項目７５３に記載のシステム。
（項目７５９）
切替可能ＤＯＥ要素のマトリクスをさらに備える、項目７４０に記載のシステム。
（項目７６０）
前記マトリクスは、視野を拡大させるために利用される、項目７５９に記載のシステム。
（項目７６１）
前記マトリクスは、射出瞳のサイズを拡大させるために利用される、項目７５９に記載のシステム。
（項目７６２）
仮想コンテンツをユーザに表示するためのシステムであって、
画像データの１つまたはそれを上回るフレームと関連付けられた光ビームを投影するための光投影システムと、
前記投影された光ビームを受光し、前記光ビームを所望の焦点で送達するための回折光学要素（ＤＯＥ）であって、円形ＤＯＥである、ＤＯＥと、
を備える、システム。
（項目７６３）
前記ＤＯＥは、線形ＤＯＥ項の角度を調節するために、単一軸に沿って延伸可能である、項目７６２に記載のシステム。
（項目７６４）
前記ＤＯＥは、膜と、Ｚ軸における発振運動を用いて、前記膜を選択的に振動させ、Ｚ軸制御および焦点の経時的変化を提供するように動作可能な少なくとも１つの変換器とを備える、項目７９２に記載のシステム。
（項目７６５）
前記ＤＯＥは、前記ＤＯＥのピッチが、前記媒体を物理的に延伸させることによって調節され得るように、延伸可能媒体内に埋め込まれる、項目７９２に記載のシステム。
（項目７６６）
前記ＤＯＥは、２軸方向に延伸され、前記ＤＯＥの延伸は、前記ＤＯＥの焦点距離に影響を及ぼす、項目７６２に記載のシステム。
（項目７６７）
複数の円形ＤＯＥをさらに備え、前記ＤＯＥは、Ｚ軸に沿ってスタックされる、項目７６２に記載のシステム。
（項目７６８）
円形ＤＯＥは、焦点変調のために、導波管の正面に層化される、項目７６２に記載のシステム。
（項目７６９）
前記ＤＯＥは、静的である、項目７６８に記載のシステム。
（項目７７０）
前記ＤＯＥは、動的である、項目７６８に記載のシステム。
（項目７７１）
仮想コンテンツをユーザに表示するためのシステムであって、
画像データの１つまたはそれを上回るフレームと関連付けられた光ビームを投影するための光投影システムと、
任意の回折光学要素（ＤＯＥ）を伴わない第１の導波管であって、前記第１の導波管によって受光された光を、いくつかの定義された角度で、前記第１の導波管の長さの少なくとも一部に沿って、全内部反射を介して伝搬し、前記第１の導波管からの外部の光をコリメートされた光として提供する、第１の導波管と、
少なくとも第１の円形対称回折光学要素（ＤＯＥ）を伴う第２の導波管であって、前記コリメートされた光を前記第１の導波管から受光するように光学的に結合される、第２の導波管と、
前記ＤＯＥのグレーティングを制御するためのプロセッサと、
を備える、システム。
（項目７７２）
前記第１のＤＯＥは、選択的に制御可能である、項目７７１に記載のシステム。
（項目７７３）
前記ディスプレイは、前記第１のＤＯＥに加え、複数の付加的ＤＯＥを備え、前記ＤＯＥは、スタック構成で配列される、項目７７１に記載のシステム。
（項目７７４）
前記複数の付加的ＤＯＥのＤＯＥはそれぞれ、選択的に制御可能である、項目７７１に記載のシステム。
（項目７７５）
ローカルコントローラが、前記第１のＤＯＥおよび前記複数の付加的ＤＯＥを制御し、前記ディスプレイを通して通過する光の焦点を動的に変調させる、項目７７１に記載のシステム。
（項目７７６）
前記プロセッサは、前記第１のＤＯＥおよび前記複数の付加的ＤＯＥをそれぞれ選択的に切り替え、いくつかの焦点レベルを実現し、前記実現可能な焦点レベルの数は、前記スタック内のＤＯＥの総数を上回る、項目７７１に記載のシステム。
（項目７７７）
前記スタック内のＤＯＥはそれぞれ、個別の屈折力を有し、前記スタック内のＤＯＥの屈折力は、相互に対して制御可能である、項目７７１に記載のシステム。
（項目７７８）
前記スタック内のＤＯＥのうちの少なくとも１つの個別の屈折力は、前記スタック内のＤＯＥのうちの他の少なくとも１つの個別の屈折力の２倍である、項目７７１に記載のシステム。
（項目７７９）
前記プロセッサは、前記第１のＤＯＥおよび前記複数の付加的ＤＯＥをそれぞれ選択的に切り替え、前記ＤＯＥの個別の線形および半径方向項を経時的に変調させる、項目７７１に記載のシステム。
（項目７８０）
前記プロセッサは、フレーム順次ベースで前記第１のＤＯＥおよび前記複数の付加的ＤＯＥをそれぞれ選択的に切り替える、項目７７１に記載のシステム。
（項目７８１）
前記ＤＯＥのスタックは、高分子分散型液晶要素のスタックを備える、項目７７１に記載のシステム。
（項目７８２）
印加される電圧の不在下、ホスト媒体屈折率は、前記高分子分散型液晶要素の分散分子の集合のものに一致する、項目７８１に記載のシステム。
（項目７８３）
前記高分子分散型液晶要素は、ニオブ酸リチウムの分子と、ホスト媒体の両側にいくつかの透明インジウムスズ酸化物層電極とを備え、前記ニオブ酸リチウムの分散分子は、屈折率を制御可能に変化させ、前記ホスト媒体内に回折パターンを機能的に形成する、項目７８１に記載のシステム。
（項目７８４）
仮想コンテンツを表示するための方法であって、
画像データの１つまたはそれを上回るフレームと関連付けられた光をユーザに投影するステップと、
光を第１の導波管において受光するステップであって、前記第１の導波管は、任意の回折光学要素を伴わず、前記光を内部反射を通して伝搬させる、ステップと、
コリメートされた光を、少なくとも第１の円形対称回折光学要素（ＤＯＥ）を伴う第２の導波管において受光するステップであって、前記第２の導波管は、前記コリメートされた光を前記第１の導波管から受光するように光学的に結合されており、前記円形対称ＤＯＥのグレーティングは、変動され、前記第１の導波管および第２の導波管は、ＤＯＥのスタック内に組み立てられる、ステップと、
を含む、方法。
（項目７８５）
前記ＤＯＥのスタックは、高分子分散型液晶要素のスタックを備える、項目７８４に記載の方法。
（項目７８６）
前記高分子分散型液晶要素は、ニオブ酸リチウムの分子と、ホスト媒体の両側にいくつかの透明インジウムスズ酸化物層電極とを備え、前記ニオブ酸リチウムの分散分子は、屈折率を制御可能に変化させ、前記ホスト媒体内に回折パターンを機能的に形成する、項目７８５に記載の方法。
（項目７８７）
印加される電圧の不在下、ホスト媒体屈折率は、前記高分子分散型液晶要素の分散分子の集合のものに一致する、項目７８４に記載の方法。
（項目７８８）
仮想コンテンツをユーザに表示するための光学要素であって、
光を受光するように位置付けられる少なくとも１つの回折光学要素（ＤＯＥ）であって、前記少なくとも１つのＤＯＥは、複数の別個にアドレス指定可能なセクションの第１のアレイを備え、前記別個にアドレス指定可能な下位セクション毎に少なくとも１つの電極を伴い、前記別個にアドレス指定可能な下位セクションはそれぞれ、前記個別の少なくとも１つの電極を介して受信された少なくとも１つの個別の信号に応答し、少なくとも第１の状態と第２の状態との間で選択的に切り替え、前記第２の状態は、前記第１の状態と異なる、ＤＯＥを備える、光学要素。
（項目７８９）
視野は、隣接してアドレス指定可能な下位セクションを多重化することによって拡大される、項目７８８に記載のシステム。
（項目７９０）
前記第１の状態は、オン状態であって、前記第２の状態は、オフ状態である、項目７８８に記載のシステム。
（項目７９１）
前記別個にアドレス指定可能な下位セクションはそれぞれ、少なくとも２つのインジウムスズ酸化物電極の個別の集合を有する、項目７８８に記載のシステム。
（項目７９２）
前記少なくとも１つのＤＯＥの複数の別個にアドレス指定可能なセクションの第１のアレイは、１次元アレイである、項目７８８に記載のシステム。
（項目７９３）
前記少なくとも１つのＤＯＥの複数の別個にアドレス指定可能なセクションの第１のアレイは、２次元アレイである、項目７８８に記載のシステム。
（項目７９４）
前記別個にアドレス指定可能なセクションの第１のアレイは、第１の平面層上に存在する、第１のＤＯＥのセクションである、項目７８８に記載のシステム。
（項目７９５）
前記少なくとも１つのＤＯＥは、少なくとも第２のＤＯＥを備え、前記第２のＤＯＥは、複数の別個にアドレス指定可能なセクションの第２のアレイを備え、前記別個にアドレス指定可能な下位セクション毎に少なくとも１つの電極を伴い、前記別個にアドレス指定可能な下位セクションはそれぞれ、前記個別の少なくとも１つの電極を介して受信された少なくとも１つの個別の信号に応答し、少なくとも第１の状態と第２の状態との間で選択的に切り替え、前記第２の状態は、前記第１の状態と異なり、前記ＤＯＥの第２のアレイは、第２の平面層上に存在し、前記第２の平面層は、前記第１の平面層とスタック構成にある、項目７９４に記載のシステム。
（項目７９６）
前記少なくとも１つのＤＯＥは、少なくとも第３のＤＯＥを備え、前記第３のＤＯＥは、複数の別個にアドレス指定可能なセクションの第３のアレイを備え、前記別個にアドレス指定可能な下位セクション毎に少なくとも１つの電極を伴い、前記別個にアドレス指定可能な下位セクションはそれぞれ、前記個別の少なくとも１つの電極を介して受信された少なくとも１つの個別の信号に応答し、少なくとも第１の状態と第２の状態との間で選択的に切り替え、前記第２の状態は、前記第１の状態と異なり、前記ＤＯＥの第３のアレイは、第３の平面層上に存在し、前記第３の平面層は、前記第１および第２の平面層とスタック構成にある、項目７９４に記載のシステム。
（項目７９７）
前記別個にアドレス指定可能なセクションの第１のアレイは、単一平面導波管内に埋め込まれる、項目７８８に記載のシステム。
（項目７９８）
前記ローカルコントローラは、前記別個にアドレス指定可能な下位セクションを制御し、選択的に、コリメートされた光を前記平面導波管から第１の時間で放出し、発散光を前記平面導波管から第２の時間で放出し、前記第２の時間は、前記第１の時間と異なる、項目７９４に記載のシステム。
（項目７９９）
前記ローカルコントローラは、前記別個にアドレス指定可能な下位セクションを制御し、選択的に、第１の方向における光を前記平面導波管から第１の時間で放出し、第２の方向における光を前記平面導波管から前記第１の時間で放出し、前記第２の方向は、前記第１の方向と異なる、項目７９４に記載のシステム。
（項目８００）
前記ローカルコントローラは、前記別個にアドレス指定可能な下位セクションを制御し、選択的に、ある方向を横断する光を経時的に走査する、項目７８８に記載のシステム。
（項目８０１）
前記ローカルコントローラは、前記別個にアドレス指定可能な下位セクションを制御し、選択的に、光を経時的に合焦させる、項目７８８に記載のシステム。
（項目８０２）
前記ローカルコントローラは、前記別個にアドレス指定可能な下位セクションを制御し、選択的に、射出瞳の視野を経時的に変動させる、項目７８８に記載のシステム。
（項目８０３）
システムであって、
光学パラメータの定義された集合のために、視野のサイズを増加させるための第１の自由形状反射およびレンズ光学構成要素であって、前記第１の自由形状反射およびレンズ光学構成要素は、第１の湾曲表面、第２の湾曲表面、および第３の湾曲表面を備え、前記第１の湾曲表面は、少なくとも部分的に、光学的に透過性および屈折性であって、前記第１の湾曲表面を介して、前記第１の自由形状反射およびレンズ光学構成要素によって受光された光に焦点変化を付与し、前記第２の湾曲表面は、少なくとも部分的に、前記第１の湾曲表面から前記第３の湾曲表面に向かって前記第２の湾曲表面によって受光された光を反射させ、前記第３の湾曲表面から前記第２の湾曲表面によって受光された光を通過させ、前記第３の湾曲表面は、少なくとも部分的に、前記第２の湾曲表面を介して、前記第１の自由形状反射およびレンズ光学構成要素から光を反射させる、第１の自由形状反射およびレンズ光学構成要素を備える、システム。
（項目８０４）
前記第１の自由形状反射およびレンズ光学構成要素の第１の湾曲表面は、個別の自由形状湾曲表面である、項目８０３に記載のシステム。
（項目８０５）
前記第１の自由形状反射およびレンズ光学構成要素の第１の湾曲表面は、無非点収差を前記光に追加する、項目８０３に記載のシステム。
（項目８０６）
前記第１の自由形状反射およびレンズ光学構成要素の第３の湾曲表面は、逆無非点収差を追加し、前記第１の自由形状反射およびレンズ光学構成要素の第１の湾曲表面によって追加される無非点収差を相殺する、項目８０３に記載のシステム。
（項目８０７）
前記第１の自由形状反射およびレンズ光学構成要素の第２の湾曲表面は、個別の自由形状湾曲表面である、項目８０３に記載のシステム。
（項目８０８）
前記第１の自由形状反射およびレンズ光学構成要素の第２の湾曲表面は、全内部反射によって反射されるべき光の定義された角度を前記第３の湾曲表面に向かって反射させる、項目８０３に記載のシステム。
（項目８０９）
システムであって、
画像データの１つまたはそれを上回るフレームと関連付けられた光を投影するためのファイバ走査ディスプレイであって、前記光を第１の自由形状光学要素に送達するように構成される、ファイバ走査ディスプレイと、
光学パラメータの定義された集合のために、視野のサイズを増加させるための第１の自由形状反射およびレンズ光学構成要素であって、前記第１の自由形状反射およびレンズ光学構成要素は、第１の湾曲表面、第２の湾曲表面、および第３の湾曲表面を備え、前記第１の湾曲表面は、少なくとも部分的に、光学的に透過性および屈折性であって、前記第１の湾曲表面を介して、前記第１の自由形状反射およびレンズ光学構成要素によって受光された光に焦点変化を付与し、前記第２の湾曲表面は、少なくとも部分的に、前記第１の湾曲表面から前記第３の湾曲表面に向かって前記第２の湾曲表面によって受光された光を反射させ、前記第３の湾曲表面から前記第２の湾曲表面によって受光された光を通過させ、前記第３の湾曲表面は、少なくとも部分的に、前記第２の湾曲表面を介して、前記第１の自由形状反射およびレンズ光学構成要素から光を反射させる、第１の自由形状反射およびレンズ光学構成要素と、
を備える、システム。
（項目８１０）
前記自由形状光学は、ＴＩＲ自由形状光学である、項目８０９に記載のシステム。
（項目８１１）
前記自由形状光学は、非均一厚を有する、項目８０９に記載のシステム。
（項目８１２）
前記自由形状光学は、楔光学である、項目８０９に記載のシステム。
（項目８１３）
前記自由形状光学は、円錐形である、項目８０９に記載のシステム。
（項目８１４）
前記自由形状光学は、恣意的曲線に対応する、項目８０９に記載のシステム。
（項目８１５）
システムであって、
ユーザに提示されるべき画像データの１つまたはそれを上回るフレームを提供するための画像発生源と、
前記画像データの１つまたはそれを上回るフレームと関連付けられた光を提供するためのディスプレイシステムと、
前記提供される光を修正し、前記光を前記ユーザに送達するための自由形状光学要素であって、前記自由形状光学は、反射コーティングを含み、前記ディスプレイシステムは、前記光の波長が前記反射コーティングの対応する波長に一致するように、前記自由形状光学要素を光で照明するように構成される、自由形状光学と、
を備える、システム。
（項目８１６）
前記１つまたはそれを上回る自由形状光学要素は、相互に対してタイル表示される、項目８１５に記載のシステム。
（項目８１７）
前記１つまたはそれを上回る自由形状光学要素は、Ｚ軸に沿ってタイル表示される、項目８１６に記載のシステム。
（項目８１８）
システムであって、
ユーザに提示されるべき画像データの１つまたはそれを上回るフレームを提供するための画像発生源と、
前記画像データの１つまたはそれを上回るフレームと関連付けられた光を提供するためのディスプレイシステムであって、複数のマイクロディスプレイを備える、ディスプレイシステムと、
前記提供される光を修正し、前記光を前記ユーザに送達するための自由形状光学要素と、
を備える、システム。
（項目８１９）
１つまたはそれを上回る自由形状光学は、相互に対してタイル表示される、項目８１８に記載のシステム。
（項目８２０）
前記複数のマイクロディスプレイによって投影される光は、視野を増加させる、項目８１８に記載のシステム。
（項目８２１）
前記自由形状光学要素は、１つのみの色が特定の自由形状光学要素によって送達されるように構成される、項目８１８に記載のシステム。
（項目８２２）
前記タイル表示された自由形状は、星形形状である、項目８２１に記載のシステム。
（項目８２３）
前記タイル表示された自由形状光学要素は、射出瞳のサイズを増加させる、項目８２１に記載のシステム。
（項目８２４）
別の自由形状光学要素をさらに備え、前記自由形状光学要素は、均一材料厚を作成する様式でともにスタックされる、項目８１８に記載のシステム。
（項目８２５）
別の自由形状光学要素をさらに備え、前記他の光学要素は、外部環境に対応する光を捕捉するように構成される、項目８１８に記載のシステム。
（項目８２６）
ＤＭＤをさらに備え、前記ＤＭＤは、１つまたはそれを上回るピクセルを遮閉するように構成される、項目８１８に記載のシステム。
（項目８２７）
１つまたはそれを上回るＬＣＤをさらに備える、項目８１８に記載のシステム。
（項目８２８）
コンタクトレンズ基板をさらに備え、前記自由形状光学は、前記コンタクトレンズ基板に結合される、項目８１８に記載のシステム。
（項目８２９）
前記複数のマイクロディスプレイは、凝集体として、大型の射出瞳の機能的均等物を形成する、小型射出瞳のアレイを提供する、項目８１８に記載のシステム。
（項目８３０）
前記少なくとも１つの画像源は、第１の光の色を提供する、少なくとも第１の単色画像源と、第２の光の色であって、前記第１の色と異なる第２の色を提供する、少なくとも第２の単色画像源と、第３の光の色であって、前記第１および第２の色と異なる第３の色を提供する、少なくとも第３の単色画像源とを含む、項目８１８に記載のシステム。
（項目８３１）
前記少なくとも第１の単色画像源は、第１の下位群の走査ファイバを備え、前記少なくとも第２の単色画像源は、第２の下位群の走査ファイバを備え、前記少なくとも第３の単色画像源は、第３の下位群の走査ファイバを備える、項目８３０に記載のシステム。
（項目８３２）
前記第１の自由形状反射およびレンズ光学構成要素と前記少なくとも１つの反射体との間の光学経路内に位置付けられるオクルーダであって、ピクセル毎ベースで光を遮閉するよう選択するように動作可能なオクルーダをさらに備える、項目８１８に記載のシステム。
（項目８３３）
前記第１の自由形状反射およびレンズ光学構成要素は、コンタクトレンズの少なくとも一部を形成する、項目８３２に記載のシステム。
（項目８３４）
前記第１の自由形状反射およびレンズ光学構成要素の一部に光学的に結合される、補償器レンズをさらに備える、項目８１８に記載のシステム。
（項目８３５）
システムであって、
光学パラメータの定義された集合のために、視野のサイズを増加させるための第１の自由形状反射およびレンズ光学構成要素であって、前記第１の自由形状反射およびレンズ光学構成要素は、第１の表面、第２の表面、および第３の表面を備え、前記第１の表面は、少なくとも部分的に、前記第１の表面を介して前記第１の自由形状反射およびレンズ光学構成要素によって受光された光に光学的に透過性であって、前記第２の表面は、湾曲し、少なくとも部分的に、前記第２の表面によって前記第１の表面から前記第３の表面に向かって受光された光を反射させ、前記湾曲表面から前記第２の表面によって受光された光を通過させ、前記第３の表面は、湾曲し、少なくとも部分的に、前記第２の表面を介して前記第１の自由形状反射およびレンズ光学構成要素から光を反射させる、第１の自由形状反射およびレンズ光学構成要素と、
第２の自由形状反射およびレンズ光学構成要素であって、前記第２の自由形状反射およびレンズ光学構成要素は、第１の表面、第２の表面、および第３の表面を備え、前記第２の自由形状反射およびレンズ光学構成要素の第１の表面は、少なくとも部分的に、前記第１の表面を介して前記第２の自由形状反射およびレンズ光学構成要素によって受光された光に光学的に透過性であって、前記第２の自由形状反射およびレンズ光学構成要素の第２の表面は、湾曲し、少なくとも部分的に、前記第２の表面によって前記第２の自由形状反射およびレンズ光学構成要素の第１の表面から前記第２の自由形状反射およびレンズ光学構成要素の第３の表面に向かって受光された光を反射させ、前記第２の表面によって前記第２の自由形状反射およびレンズ光学構成要素の第３の表面から受光された光を通過させ、前記第２の自由形状反射およびレンズ光学構成要素の第３の表面は、湾曲し、少なくとも部分的に、前記第２の表面を介して前記第２の自由形状反射およびレンズ光学構成要素から光を反射させる、第２の自由形状反射およびレンズ光学構成要素と、
を備え、
前記第１および第２の自由形状反射およびレンズ光学構成要素は、Ｚ軸に沿って反対に配向されたスタック構成にある、システム。
（項目８３６）
前記第２の自由形状反射およびレンズ光学構成要素の第２の表面は、前記第１の自由形状反射およびレンズ光学構成要素の第３の表面に隣接する、項目８３５に記載のシステム。
（項目８３７）
前記第２の自由形状反射およびレンズ光学構成要素の第２の表面は、凹面であって、前記第１の自由形状反射およびレンズ光学構成要素の第３の表面は、凸面であって、前記第１の自由形状反射およびレンズ光学構成要素の第３の表面は、前記第２の自由形状反射およびレンズ光学構成要素の第２の表面を近接して受容する、項目８３５に記載のシステム。
（項目８３８）
前記第１の自由形状反射およびレンズ光学構成要素の第１の表面は、平坦であって、前記第２の自由形状反射およびレンズ光学構成要素の第１の表面は、平坦であって、
前記第１の自由形状反射およびレンズ光学構成要素の第１の表面を介して、前記第１の自由形状反射およびレンズ光学構成要素に光学的に結合される、少なくとも第１のプロジェクタと、
前記第２の自由形状反射およびレンズ光学構成要素の第１の表面を介して、前記第２の自由形状反射およびレンズ光学構成要素に光学的に結合される、少なくとも第２のプロジェクタと、
をさらに備える、項目８３５に記載のシステム。
（項目８３９）
前記第１または前記第２の自由形状反射およびレンズ光学構成要素のうちの少なくとも１つによって担持される少なくとも１つの波長選択材料をさらに備える、項目８３５に記載のシステム。
（項目８４０）
前記第１の自由形状反射およびレンズ光学構成要素によって担持される少なくとも第１の波長選択材料と、
前記第２の自由形状反射およびレンズ光学構成要素によって担持される少なくとも第２の波長選択材料と、
をさらに備え、前記第１の波長選択材料は、第１の波長集合を選択し、前記第２の波長選択材料は、第２の波長集合を選択し、前記第２の波長集合は、前記第１の波長集合と異なる、項目８３５に記載のシステム。
（項目８４１）
前記第１の自由形状反射およびレンズ光学構成要素によって担持される少なくとも第１の偏光子と、
前記第２の自由形状反射およびレンズ光学構成要素によって担持される少なくとも第２の偏光子と、
をさらに備え、
前記第１の偏光子は、前記第２の偏光子と異なる偏光配向を有する、項目８３５に記載のシステム。
（項目８４２）
前記光ファイバコアは、同一ファイバクラッディング内にある、項目４３６に記載のシステム。
（項目８４３）
前記光ファイバコアは、別個のファイバクラッディング内にある、項目４３６に記載のシステム。
（項目８４４）
前記光ファイバコアは、同一ファイバクラッディング内にある、項目４２８に記載のシステム。
（項目８４５）
前記光ファイバコアは、別個のファイバクラッディング内にある、項目４２８に記載のシステム。
（項目８４６）
前記光ファイバコアは、同一ファイバクラッディング内にある、項目４１８に記載のシステム。
（項目８４７）
前記光ファイバコアは、別個のファイバクラッディング内にある、項目４１８に記載のシステム。
（項目８４８）
前記遠近調節モジュールは、前記ユーザの眼の両眼離反運動または注視を追跡することによって、遠近調節を間接的に追跡する、項目８０に記載のシステム。
（項目８４９）
前記部分反射鏡は、前記光源によって提供される光の偏光に対して比較的に高反射率を有し、外界によって提供される光の他の偏光状態に対して比較的に低反射率を有する、項目７９に記載のシステム。
（項目８５０）
前記複数の部分反射鏡は、誘電コーティングを備える、項目７９に記載のシステム。
（項目８５１）
前記複数の反射鏡は、前記光源によって提供される光の波長のための導波管に対して比較的に高反射率を有し、外界によって提供される光の他の導波管に対して比較的に低反射率を有する、項目７９に記載のシステム。
（項目８５２）
前記ＶＦＥは、変形可能鏡であって、その表面形状は、経時的に変動されることができる、項目７７に記載のシステム。
（項目８５３）
前記ＶＦＥは、静電作動式膜鏡であって、前記導波管または付加的透明層は、１つまたはそれを上回る実質的に透明電極を備え、前記１つまたはそれを上回る電極に印加される電圧は、前記膜鏡を静電的に変形させる、項目７７に記載のシステム。
（項目８５４）
前記光源は、走査光ディスプレイであって、前記ＶＦＥは、前記焦点を線セグメントベースで変動させる、項目６８に記載のシステム。
（項目８５５）
前記導波管は、射出瞳拡大機能を備え、光の入力光線は、分割され、複数の場所において前記導波管から出射する複数の光線として出力結合される、項目６８に記載のシステム。
（項目８５６）
前記画像データは、焦点レベルを調節する間、前記画像倍率が実質的に固定されたままであるように見えるように、前記導波管が前記１つまたはそれを上回る光パターンを受光する前に、プロセッサによって、変化する光学画像倍率に従ってスケーリングされ、それを補償する、項目７０に記載のシステム。
（項目８５７）
前記第１の焦点レベルは、コリメートされる、項目６８に記載のシステム。
（項目８５８）
前記ＶＦＥは、前記導波管の中に統合される、項目６８に記載のシステム。
（項目８５９）
前記ＶＦＥは、前記導波管と別個である、項目６８に記載のシステム。
（項目８６０）
前記遠近調節モジュールは、前記ユーザの眼の両眼離反運動または注視を追跡することによって、遠近調節を間接的に追跡する、項目９３に記載のシステム。
（項目８６１）
前記部分反射鏡は、前記光源によって提供される光の偏光に対して比較的に高反射率を有し、外界によって提供される光の他の偏光状態に対して比較的に低反射率を有する、項目９２に記載のシステム。
（項目８６２）
前記複数の部分反射鏡は、誘電コーティングを備える、項目９２に記載のシステム。
（項目８６３）
前記複数の反射鏡は、前記光源によって提供される光の波長のための導波管に対して比較的に高反射率を有し、外界によって提供される光の他の導波管に対して比較的に低反射率を有する、項目９０に記載のシステム。
（項目８６４）
前記ＶＦＥは、変形可能鏡であって、その表面形状は、経時的に変動されることができる、項目８１に記載のシステム。
（項目８６５）
前記ＶＦＥは、静電作動式膜鏡であって、前記導波管または付加的透明層は、１つまたはそれを上回る実質的に透明電極を備え、前記１つまたはそれを上回る電極に印加される電圧は、前記膜鏡を静電的に変形させる、項目８１に記載のシステム。
（項目８６６）
前記光源は、走査光ディスプレイであって、前記ＶＦＥは、前記焦点を線セグメントベースで変動させる、項目８１に記載のシステム。
（項目８６７）
前記導波管は、射出瞳拡大機能を備え、光の入力光線は、分割され、複数の場所において前記導波管から出射する複数の光線として出力結合される、項目８１に記載のシステム。
（項目８６８）
前記画像データは、焦点レベルを調節する間、前記画像倍率が実質的に固定されたままであるように見えるように、前記導波管が前記１つまたはそれを上回る光パターンを受光する前に、プロセッサによって、変化する光学画像倍率に従ってスケーリングされ、それを補償する、項目８１に記載のシステム。
（項目８６９）
前記第１の焦点レベルは、コリメートされる、項目６８に記載のシステム。
（項目８７０）
前記遠近調節モジュールは、前記ユーザの眼の両眼離反運動または注視を追跡することによって、遠近調節を間接的に追跡する、項目１０６に記載のシステム。
（項目８７１）
前記部分反射鏡は、前記光源によって提供される光の偏光に対して比較的に高反射率を有し、外界によって提供される光の他の偏光状態に対して比較的に低反射率を有する、項目１０５に記載のシステム。
（項目８７２）
前記複数の部分反射鏡は、誘電コーティングを備える、項目１０５に記載のシステム。
（項目８７３）
前記複数の反射鏡は、前記光源によって提供される光の波長のための導波管に対して比較的に高反射率を有し、外界によって提供される光の他の導波管に対して比較的に低反射率を有する、項目１０３に記載のシステム。
（項目８７４）
前記ＶＦＥは、変形可能鏡であって、その表面形状は、経時的に変動されることができる、項目９４に記載のシステム。
（項目８７５）
前記ＶＦＥは、静電作動式膜鏡であって、前記導波管または付加的透明層は、１つまたはそれを上回る実質的に透明電極を備え、前記１つまたはそれを上回る電極に印加される電圧は、前記膜鏡を静電的に変形させる、項目９４に記載のシステム。
（項目８７６）
前記光源は、走査光ディスプレイであって、前記ＶＦＥは、前記焦点を線セグメントベースで変動させる、項目９４に記載のシステム。
（項目８７８）
前記導波管は、射出瞳拡大機能を備え、光の入力光線は、分割され、複数の場所において前記導波管から出射する複数の光線として出力結合される、項目９４に記載のシステム。
（項目８７９）
前記画像データは、焦点レベルを調節する間、前記画像倍率が実質的に固定されたままであるように見えるように、前記導波管が前記１つまたはそれを上回る光パターンを受光する前に、プロセッサによって、変化する光学画像倍率に従ってスケーリングされ、それを補償する、項目９４に記載のシステム。
（項目８８０）
前記第１の焦点レベルは、コリメートされる、項目９４に記載のシステム。
【手続補正３】
【補正対象書類名】明細書
【補正対象項目名】０２７５
【補正方法】変更
【補正の内容】
【０２７５】
【図９】図９Ａおよび９Ｂは、例証される実施形態の１つによる、光プロジェクタから生成された波面を図示する。